(57)【要約】【課題】  精算装置への端数金種の貨幣払出部の追加を不要にし、精算装置のコストアップやメンテナンス作業負担を増大させずに遊技媒体貸出時の消費税徴収に対応できるようにする。【解決手段】  プリペイドカード５等をカード精算機５０に受入れて精算する際、該プリペイドカード５等の残高に、カード精算機５０で払出可能な最小金種未満の端数がある場合、端数調整処理手段５５０が、該端数を払出し可能な任意の金種の単位まで端数調整する方法、端数分または該端数分を含む任意の価値を、特定の媒体に移動させる方法、端数分または該端数分を含む任意の価値を該価値とは異なる価値に変換し、該変換後の価値を特定の媒体に移動させる方法等で該端数を調整処理することによって端数の無い精算額を算出し、該精算額での出金を行なう。【選択図】  図１
2006051204.tif 000002
【特許請求の範囲】
【請求項１】
支払った金額分の有価価値残高が関連付けられた記録媒体を発行する記録媒体発行装置と、前記記録媒体を受け入れ、該記録媒体に関連付けられる残高から貸出した遊技媒体数分の価値を減算して残高を更新する記録媒体処理装置と、前記記録媒体を受け入れ、該記録媒体に関連付けられる残高を現金に精算する精算装置とから成る記録媒体精算システムにおいて、
前記精算装置により受け入れられた記録媒体に関連付けられる残高に、当該精算装置の払出し可能な任意の金種未満の端数があるか否かを判定する判定手段と、
前記残高に前記端数がある場合、精算額に端数が生じないように該端数を調整する端数調整処理手段と、
前記端数調整後の精算額分の現金を精算金として払い出す精算制御手段と
を具備することを特徴とする記録媒体精算システム。
【請求項２】
前記端数調整処理手段は、
前記端数を繰り上げまたは繰り下げ若しくは四捨五入することにより、前記払出し可能な任意の金種の単位まで端数調整を行なう手段
から成ることを特徴とする請求項１記載の記録媒体精算システム。
【請求項３】
前記端数調整処理手段は、
前記端数分または該端数分を含む任意の価値を、特定の媒体に移動させる価値移動処理手段
から成り、
前記精算制御手段は、
前記残高から前記移動した価値分を減算して得られる精算額分の現金を精算金として払い出す
ことを特徴とする請求項１記載の記録媒体精算システム。
【請求項４】
前記端数調整処理手段は、
前記端数分または該端数分を含む任意の価値を該価値とは異なる価値に変換し、該変換後の価値を特定の媒体に移動させる価値移動処理手段
から成り、
前記精算制御手段は、
前記残高から前記移動した価値分を減算して得られる精算額分の現金を精算金として払い出す
ことを特徴とする請求項１記載の記録媒体精算システム。
【請求項５】
前記精算装置は、
端数レシートを発行するレシート発行手段と、
前記特定の媒体である前記端数レシートに、前記移動対象の前記価値を印字して出力するレシート発行制御手段である前記価値移動手段と
を具備することを特徴とする請求項３または４記載の記録媒体精算システム。
【請求項６】
前記精算装置は、
会員用識別情報に関連付けられた価値情報が会員管理テーブルにより管理される会員用記録媒体を受け入れて、該会員用記録媒体に記録された会員識別情報を読み取る会員用記録媒体読取手段と、
前記特定の媒体である前記会員管理テーブルに、前記異動対象の前記価値を該当する会員識別情報に関連付けて登録する手段である前記価値移動手段と
を具備することを特徴とする請求項３または４記載の記録媒体精算システム。
【請求項７】
前記精算装置は、
価値情報記録手段を有する電子マネー媒体を受付ける電子マネー媒体受付手段と、
前記電子マネー媒体受付手段に受付けられた前記特定の媒体である前記電子マネー媒体の前記価値情報記録手段に、前記移動対象の前記価値を書込む手段である前記価値移動手段と
を具備することを特徴とする請求項３または４記載の記録媒体精算システム。
【請求項８】
前記媒体から、前記端数調整処理手段により移動された前記価値を読取る媒体読取手段と、
前記媒体読取手段により複数の前記媒体から読み取られた価値を合算する合算手段と、
前記合算手段による合算価値に対する処理を行う合算価値処理手段と
を具備することを特徴とする請求項３乃至５のいずれか記載の記録媒体精算システム。
【請求項９】
前記媒体に移動された価値の交換期限を管理する管理手段と、
前記媒体読取手段により前記媒体から読み取られた価値が前記交換期限を超えている場合、前記合算処理手段による合算処理を禁止する手段と
を具備することを特徴とする請求項８記載の記録媒体精算システム。
【請求項１０】
前記記録媒体に関連付けられた残高の交換期限を管理する管理手段
を具備し、
前記媒体に移動された価値の交換期限を前記記録媒体に関連付けられた交換期限よりも長く設定して管理する
ことを特徴とする請求項９記載の記録媒体精算システム。
【請求項１１】
前記端数に対する端数調整処理条件を設定する端数調整処理条件設定手段
を具備し、
前記端数調整処理手段は、
前記残高に前記端数がある場合、前記端数調整処理条件設定手段により設定された端数調整処理条件を用いて前記端数調整処理を行う
ことを特徴とする請求項１乃至１０のいずれか記載の記録媒体精算システム。
【請求項１２】
前記端数を前記払出し可能な任意の金種の単位まで端数調整する第１の処理手段、前記端数分または該端数分を含む任意の価値を、特定の媒体に移動させる第２の処理手段、及び前記端数分または該端数分を含む任意の価値を該価値とは異なる価値に変換し、該変換後の価値を特定の媒体に移動させる第３の処理手段のうちの少なくとも２つの処理手段を前記端数調整処理手段として具備する
と共に、
前記端数調整処理手段として備わる前記少なくとも２つの処理手段各々の端数調整処理に対応する端数調整処理条件と該端数調整処理条件の選択を促すメッセージを含む端数調整処理条件選択画面を表示する画面表示手段と、
前記端数調整処理条件選択画面に表示されている前記端数調整処理条件の選択を受付ける端数調整処理条件受付手段と
を具備し、
前記端数調整処理条件受付手段により受付けた前記端数調整処理条件を用いて、前記少なくとも２つの処理手段のうちの該当する処理手段により前記端数調整処理を行う
ことを特徴とする請求項１記載の記録媒体精算システム。
【発明の詳細な説明】
【技術分野】
【０００１】
本発明は、支払った金額分の有価価値残高を関連付けられて発行される記録媒体を用いた遊技媒体の貸出しに応じて該記録媒体に関連付けられる残高から当該貸出遊技媒体数に対応する価値を減算して残高を更新すると共に、上記記録媒体を受け入れ、該記録媒体に関連付けられる残高を現金に精算する記録媒体精算システムに係わり、詳しくは、記録媒体の残高精算時、当該記録媒体の残高に支払い可能な金種未満の端数が存在する場合、該端数分を調整処理して端数のない精算額による現金の払出しを行なうことにより、上記端数金種の貨幣払出部の追加を不要にした記録媒体精算システムに関する。
【背景技術】
【０００２】
パチンコ店等の遊技場では、遊技用記録媒体を受け入れて、該記録媒体に付与された有価価値または有価価値を特定する情報に基づいて遊技媒体を貸し出し可能とするカードシステムを備えている。
【０００３】
この種のシステムでは、遊技客は、ホール内のカード発行機にて予めプリペイドカードを購入し、遊技台（例えば、パチンコ台）の横に設置されたカード処理ユニットにそのカードを挿入した状態で指定した金額に応じた遊技媒体（例えば、パチンコ玉）の貸し出しを受けて該遊技台での遊技を行なうようになっている。
【０００４】
プリペイドカードにはカード毎に設定される識別符号（カードＩＤ）が記録されており、該識別符号毎の残度数が管理装置に記録されており、カード処理ユニットでの遊技媒体貸出等のためにカードが使用されると管理装置の残度数が書き換えられる。
【０００５】
遊技中、プリペイドカードの残額がなくなった場合は、カード処理ユニットから現金を追加入金することにより、プリペイドカードの残高を増やすことができる。
【０００６】
また、遊技終了後、プリペイドカードに残高がある場合には、ホール内に設置されたカード精算機に当該プリペイドカードを挿入し、余った度数（残度数）を精算可能となっている。
【０００７】
プリペイドカードを利用して遊技媒体の貸し出しを行なう公知のシステムとしては、下記特許文献１に記載される遊技場システムが知られている。
【０００８】
特許文献１記載の遊技場システムに用いられる記録媒体精算装置は、複数の異なる種類のカードの精算処理を１台の装置で実現するものであり、プリペイドカードも精算処理対象として受け入れ可能となっている。
【０００９】
この遊技場システムで用いられるプリペイドカードは、例えば、１００００円、５０００円などの各種金額分の度数を有したものである（段落０００３参照）。そして、カード処理ユニットでのプリペイドカードを用いた遊技媒体貸出処理時には、１回の貸出に応じて例えば１００円単位の度数が減算され（段落００２３）、更に、カード精算機２００においては、プリペイドカードの精算は、千円札と１００円硬貨で行なわれる（段落００４６）。
【特許文献１】特開２００２−２８２５２２号公報
【発明の開示】
【発明が解決しようとする課題】
【００１０】
特許文献１記載のシステムに代表される従来一般的な遊技場システムでは、遊技台からの１度数（例えば、１００円）当たりの玉貸数は遊技台側で固定であり、１個単位で玉を払出す機能を持たないため、消費税相当額を全て遊技店側が負担している。
【００１１】
こうした現状の中で、プリペイドカードによる遊技媒体貸出時、該貸出遊技媒体数に対応する金額に対する消費税を徴収しようとすると、１度数（１００円）の玉貸を行なう度に消費税相当額（５円）を回収する必要があるため、カードシステムで１度数当たり１０５円の残高を減算する処理を行わなければならない。
【００１２】
これにより、例えば、１００００円のプリペイドカードを用いた各回の玉貸終了時の残額パターン（１０５円ずつ減少）は、１００００円→９８９５円→９７９０円→９６８５円→…となり、プリペイドカードには、１００円以下の端数残高が残ることとなる。
【００１３】
このように、残高に１００円以下の端数が残る場合であっても、カード精算機に、例えば、１円（５円）硬貨払出装置や１０円硬貨払出装置を設ければ、上記端数残高の精算も可能である。
【００１４】
しかしながら、カード精算機に１円硬貨払出部や１０円硬貨払出部を設ける場合には、
ａ．１円硬貨払出部や１０円硬貨払出部の追加によりカード精算機のコストアップを招来する。
【００１５】
ｂ．カード精算機内部のスペースが限られており、１円硬貨払出部や１０円硬貨払出部を含む複数台の硬貨払出部の搭載が困難である。
【００１６】
ｃ．カード精算機では、各貨幣払出部に対して該当する金種の貨幣の補充や回収などのメンテナンスが不可欠であるが、１円硬貨払出部や１０円硬貨払出部を追加するとこれらもメンテナンス対象となり、遊技店側のメンテナンスに関する負担が更に増大する。  
等の問題点があった。
【００１７】
また、精算する立場の側からは、小銭（硬貨）を余り持ちたがらない遊技客も多く、必ずしもサービス向上にはつながらないという問題点もあった。
【００１８】
本発明は上記問題点を解消し、記録媒体の精算時、残高に任意の金種未満の端数が存在する場合、該端数分を調整処理して端数のない精算額による現金の払出しを行なうことにより、精算装置への上記端数金種の貨幣払出部の追加を不要にし、精算装置のコストアップやメンテナンス作業負担を増大させずに遊技媒体貸出時の消費税徴収に対応できる記録媒体精算システムを提供することを目的とする。
【課題を解決するための手段】
【００１９】
上記目的を達成するために、請求項１記載の発明は、支払った金額分の有価価値残高が関連付けられた記録媒体を発行する記録媒体発行装置と、前記記録媒体を受け入れ、該記録媒体に関連付けられる残高から貸出した遊技媒体数分の価値を減算して残高を更新する記録媒体処理装置と、前記記録媒体を受け入れ、該記録媒体に関連付けられる残高を現金に精算する精算装置とから成る記録媒体精算システムにおいて、前記精算装置により受け入れられた記録媒体に関連付けられる残高に、当該精算装置の払出し可能な任意の金種未満の端数があるか否かを判定する判定手段と、前記残高に前記端数がある場合、精算額に端数が生じないように該端数を調整する端数調整処理手段と、前記端数調整後の精算額分の現金を精算金として払い出す精算制御手段とを具備することを特徴とする。
【００２０】
請求項２記載の発明は、上記請求項１記載の発明において、前記端数調整処理手段は、前記端数を繰り上げまたは繰り下げ若しくは四捨五入することにより、前記払出し可能な任意の金種の単位まで端数調整を行なう手段から成ることを特徴とする。
【００２１】
請求項３記載の発明は、上記請求項１記載の発明において、前記端数調整処理手段は、前記端数分または該端数分を含む任意の価値を、特定の媒体に移動させる価値移動処理手段から成り、前記精算制御手段は、前記残高から前記移動した価値分を減算して得られる精算額分の現金を精算金として払い出すことを特徴とする。
【００２２】
請求項４記載の発明は、上記請求項１記載の発明において、前記端数調整処理手段は、前記端数分または該端数分を含む任意の価値を該価値とは異なる価値に変換し、該変換後の価値を特定の媒体に移動させる価値移動処理手段から成り、前記精算制御手段は、前記残高から前記移動した価値分を減算して得られる精算額分の現金を精算金として払い出すことを特徴とする。
【００２３】
請求項５記載の発明は、上記請求項３または４記載の発明において、前記精算装置は、端数レシートを発行するレシート発行手段と、前記特定の媒体である前記端数レシートに、前記移動対象の前記価値を印字して出力するレシート発行制御手段である前記価値移動手段とを具備することを特徴とする。
【００２４】
請求項６記載の発明は、上記請求項３または４記載の発明において、前記精算装置は、会員用識別情報に関連付けられた価値情報が会員管理テーブルにより管理される会員用記録媒体を受け入れて、該会員用記録媒体に記録された会員識別情報を読み取る会員用記録媒体読取手段と、前記特定の媒体である前記会員管理テーブルに、前記異動対象の前記価値を該当する会員識別情報に関連付けて登録する手段である前記価値移動手段とを具備することを特徴とする。
【００２５】
請求項７記載の発明は、上記請求項３または４記載の発明において、前記精算装置は、価値情報記録手段を有する電子マネー媒体を受付ける電子マネー媒体受付手段と、前記電子マネー媒体受付手段に受付けられた前記特定の媒体である前記電子マネー媒体の前記価値情報記録手段に、前記移動対象の前記価値を書込む手段である前記価値移動手段とを具備することを特徴とする。
【００２６】
請求項８記載の発明は、上記請求項３乃至５のいずれか記載の発明において、前記媒体から、前記端数調整処理手段により移動された前記価値を読取る媒体読取手段と、前記媒体読取手段により複数の前記媒体から読み取られた価値を合算する合算手段と、前記合算手段による合算価値に対する処理を行う合算価値処理手段とを具備することを特徴とする。
【００２７】
請求項９記載の発明は、上記請求項８記載の発明において、前記媒体に移動された価値の交換期限を管理する管理手段と、前記媒体読取手段により前記媒体から読み取られた価値が前記交換期限を超えている場合、前記合算処理手段による合算処理を禁止する手段とを具備することを特徴とする。
【００２８】
請求項１０記載の発明は、上記請求項９記載の発明において、前記記録媒体に関連付けられた残高の交換期限を管理する管理手段を具備し、前記媒体に移動された価値の交換期限を前記記録媒体に関連付けられた交換期限よりも長く設定して管理することを特徴とする。
【００２９】
請求項１１記載の発明は、上記請求項１乃至１０のいずれか記載の発明において、前記端数に対する端数調整処理条件を設定する端数調整処理条件設定手段を具備し、前記端数調整処理手段は、前記残高に前記端数がある場合、前記端数調整処理条件設定手段により設定された端数調整処理条件を用いて前記端数調整処理を行うことを特徴とする。
【００３０】
請求項１２記載の発明は、上記請求項１記載の発明において、前記端数を前記払出し可能な任意の金種の単位まで端数調整する第１の処理手段、前記端数分または該端数分を含む任意の価値を、特定の媒体に移動させる第２の処理手段、及び前記端数分または該端数分を含む任意の価値を該価値とは異なる価値に変換し、該変換後の価値を特定の媒体に移動させる第３の処理手段のうちの少なくとも２つの処理手段を前記端数調整処理手段として具備すると共に、前記端数調整処理手段として備わる前記少なくとも２つの処理手段各々の端数調整処理に対応する端数調整処理条件と該端数調整処理条件の選択を促すメッセージを含む端数調整処理条件選択画面を表示する画面表示手段と、前記端数調整処理条件選択画面に表示されている前記端数調整処理条件の選択を受付ける端数調整処理条件受付手段とを具備し、前記端数調整処理条件受付手段により受付けた前記端数調整処理条件を用いて、前記少なくとも２つの処理手段のうちの該当する処理手段により前記端数調整処理を行うことを特徴とする。
【発明の効果】
【００３１】
本発明によれば、精算装置での記録媒体の精算時、残高に当該精算装置の払出し可能な任意の金種未満の端数がある場合、精算額に端数が生じないように該端数を調整する端数調整処理手段を設け、端数調整後の精算額分の現金を精算金として払い出すようにしたものである。
【００３２】
端数調整処理手段としては、例えば、端数を払出し可能な任意の金種の単位まで端数調整する第１の処理手段、端数分または該端数分を含む任意の価値を、特定の媒体に移動させる第２の処理手段、及び端数分または該端数分を含む任意の価値を該価値とは異なる価値に変換し、該変換後の価値を特定の媒体に移動させる第３の処理手段があり、これら第１〜第３の処理手段を個々に設けて該当する端数調整処理を行う他、該第１〜第３の処理手段のうちの少なくとも２つの処理手段を設け、該少なくとも２つの処理手段のうちの遊技客が選択した端数調整処理条件に該当する処理手段により端数調整処理を行う構成も可能である。
【００３３】
上記第１〜第３の処理手段のいずれの端数調整処理手段による端数調整処理においても、任意の金種未満の端数が調整され、該任意の金種未満の硬貨を含まない貨幣の出金による精算が行なわれるため、精算装置の既存の貨幣払出装置の構成における払出し可能な最小金種未満の金種を端数として調整するように動作させることによって、該最小金種未満の金種の硬貨払出装置を精算装置に追加する必要がなくなり、当該精算装置の構造の複雑化、コストアップを回避できる。
【００３４】
また、精算装置内に既存の最小金種未満の硬貨払出装置を設けずに済むことで、該最小金種未満の硬貨の補填や回収等のメンテナンス作業も当然不要となり、遊技店側のメンテナンス作業の負担も軽減できる。
【００３５】
また、遊技客側からすれば、記録媒体精算時に上記最小単位未満の硬貨（小銭）の受け取りを行なわずに済み、小銭を持ちたがらない遊技客に対するサービス向上も見込める。
【００３６】
これにより、本発明では、記録媒体の残高に端数が生じするケースが多い遊技媒体貸出時の消費税徴収に対しても、精算装置のコストアップやメンテナンス作業負担の増大を来たすことなく対応できる。
【発明を実施するための最良の形態】
【００３７】
以下、本発明の実施形態について添付図面を参照して詳細に説明する。
【００３８】
なお、本実施の形態では、主として本発明をパチンコ遊技に適用した場合を示すこととする。
【００３９】
図１は、本発明に係わる遊技システムの全体構成を示すブロック図である。
【００４０】
この遊技システムは、遊技用記録媒体であるプリペイドカード５や会員カード６に対応付けて有価価値（残高）の管理を行なう管理装置１０と、現金などによる所定の購入操作に基づき、管理装置１０と通信して購入金額分の有価価値を残高として対応付けた後にプリペイドカード５を発行する処理や、会員カード６を受け入れて投入された現金等に対応する有価価値を当該会員カード６に関連付ける価値付け処理を行うカード発行機２０、「島」と呼ばれるグループ毎に設置される複数の遊技機４５に対応して配設され、プリペイドカード５や会員カード６を受け入れて対応する遊技機４５の遊技媒体であるパチンコ玉を貸出す処理を行い、その際、該プリペイドカード５や会員カード６に対応して管理される残高から遊技機４５に対して貸出された遊技媒体数分の価値を減算して残高の更新処理を行うカード処理ユニット４０と、プリペイドカード５や会員カード６を受け入れ、該プリペイドカード５や会員カード６に対応付けられている残高に対応する現金を払い出す精算処理を行うカード精算機５０と、島構成要素（カード処理ユニット４０や遊技機４５等）の制御を司る島コントローラ６０とをローカル・エリア・ネットワーク（ＬＡＮ）７０を介して通信可能に接続して構成される。
【００４１】
管理装置１０は、遊技システム全体を制御統括するコントローラ（ターミナル・コントローラ：以下、Ｔ／Ｃ）であり、例えば、図２に示すように、制御部であるＣＰＵ１１、ハードディスクなどの記憶装置１２、動作プログラム等を記憶するメモリ１３、マウスやキーボード等の入力装置１４、ＣＲＴ等の表示装置１５、ＬＡＮ７０を介してカード発行機２０、カード処理ユニット４０、カード精算機５０等の被管理装置との通信を行う通信インタフェース（Ｉ／Ｆ）部１６を備えたＰＣ（パーソナル・コンピュータ）等の情報処理端末により構成される。
【００４２】
Ｔ／Ｃ１０において、メモリ１３は、有価価値管理テーブルとして、プリペイドカード管理テーブル１３１、会員管理テーブル１３３を有しており、これら各管理テーブル１３１，１３３を用いてプリペイドカード情報、会員情報が別々に管理される。
【００４３】
プリペイドカード管理テーブル１３１は、図３に示すように、カードＩＤ毎に、発行日時、発行金額、残額、再発行回数、有効期限、追加入金額、デビット入金などの各種データが記憶されている。
【００４４】
発行金額の欄には、当該プリペイドカード５が発行された時の価値が登録されている。残額の欄には、発行金額から玉貸しに用いた価値を引いたり、追加入金された価値を加算し、現時点で関連付けられている価値データが登録されている。また、追加入金額の欄には、カード処理ユニット４０での追加入金の累積額が登録されている。デビット入金の欄には、現時点での残額がデビットカードでの入金を含んでいるか否かが登録されている。
【００４５】
会員管理テーブル１３３は、図４に示すように、会員コード（識別データ）別に、貯玉数、残額、来店回数、来店ポイント、入会日時、住所、氏名、電話番号および追加入金額、デビット入金などの各種データが記憶されている。
【００４６】
残額の欄には、現時点で当該会員カード５に関連付けられている価値データが登録されている。また、追加入金額の欄には、カード発行機２０またはカード処理ユニット４０での追加入金の累積額が登録されている。デビット入金の欄には、現時点での残価値がデビットカードでの入金を含んでいるか否かが登録されている。
【００４７】
Ｔ／Ｃ１０は、上記管理テーブル１３１，１３３に記憶された有価価値管理情報を用いて、対応する各カード（プリペイドカード５，会員カード６）に記録された識別データ（カードＩＤ）に対応する残価値を管理している。この有価価値管理情報の内容は、遊技者による遊技中、あるいは、遊技の終了時に適宜更新される。
【００４８】
会員カード６は、会員登録処理を行うことによって発行されるものであり、カード発行機２０に挿入し、例えば、貨幣を投入し、所定の価値付け操作を行なうことにより価値付け（Ｔ／Ｃ１０の会員管理テーブル１３３に有価価値等が会員コードに対応付けられて書き込まれる）することができる（図１における会員カード価値付け処理参照）。
【００４９】
一方、プリペイドカード５は、カード発行機２０にて貨幣などを受け入れて発行される紙製の磁気記録カードである。
【００５０】
遊技客が、プリペイドカード５を購入するために、カード発行機２０に貨幣またはデビットカードを投入して所定の発行操作を行うと、プリペイドカード５に所定事項が印字・記録されて該プリペイドカード５が発行される（図１におけるカード発行処理参照）。
【００５１】
この時、カード発行機２０からＴ／Ｃ１０にプリペイドカード５のカードＩＤ、発行金額などが送出され、Ｔ／Ｃ１０のプリペイドカード管理テーブル１３１（図４参照）に有価価値（発行金額に対応する残額）等がカードＩＤに対応付けられて書き込まれ、該プリペイドカード５がカード処理ユニット４０などで使用可能になる。
【００５２】
カード処理ユニット４０は、各遊技機４５間（台間）にそれぞれ配設されており、遊技機４５が備える玉投出機構と連携してパチンコ玉の貸し出しを行う。
【００５３】
カード処理ユニット４０の前面パネルには、紙幣投入口、硬貨投入口、カード挿入口、金額表示部などが設けられており、遊技機４５には、度数表示部、貸出ボタンなどが設けられている。
【００５４】
遊技者は、予め、カード処理ユニット４０にプリペイドカード５や会員カード６などのカード（場合によっては、さらに現金）を投入するとともに、必要に応じて貸出単位（１回の貸出操作により貸し出される度数）を設定しておく。
【００５５】
遊技者が貸出ボタンを操作すると、玉投出機構が作動し、遊技機４５の上皿へと貸出単位分のパチンコ玉が投出される。この投出代金は、カードの識別データに対応して予め登録されている価値情報から減算される。
【００５６】
カード処理ユニット４０にプリペイドカード５あるいは会員カード６（以下、「プリペイドカード５等」と記述する）が装填された状態で、貨幣が直接投入された場合には、貨幣を受け入れて、プリペイドカード５等に価値を追加することも可能である。遊技者は、このようにして貸し出された玉を用いて、遊技機４５において遊技を行う。
【００５７】
遊技終了後、カード処理ユニット４０から抜き出したプリペイドカード５等に残価値（残高）がある場合、遊技客は、希望により残額をカード精算機５０により精算することができる。
【００５８】
遊技客が精算を希望するプリペイドカード５等をカード精算機５０に挿入すると、カード精算機５０は該プリペイドカード５等からカードＩＤを読み取り、該読み取ったカードＩＤをキーにＴ／Ｃ１０に残高の問合せを行なう。
【００５９】
その後、カード精算機５０は、Ｔ／Ｃ１０がカード精算機５０からの問合せのあったカードＩＤに対応する残高をプリペイドカード管理テーブル１３１あるいは会員管理テーブル１３３から検索してカード精算機５０に応答情報として送出するのに合わせて、該応答情報を受信し、その後、当該残高に相当する現金を精算金として払い出し、払い出し（精算）終了後、プリペイドカード５等を遊技客に返却する。尚、投入されたカードが会員カード６である場合には必ず返却する必要があるが、プリペイドカード５の場合は必ずしも返却する必要は無く、カード精算機５０の内部に回収するようにしても良い。
【００６０】
本システムでのプリペイドカード５等に関する上記一連の処理手順において、Ｔ／Ｃ１０は、カード処理ユニット４０との間の残高更新処理中、プリペイドカード５等を用いて貸し出される貸出遊技媒体数に対応する金額と共に、更に、該金額に見合った消費税分の価値を合わせて減算する（図１における遊技媒体貸出処理参照）処理機能を有している。
【００６１】
すなわち、Ｔ／Ｃ１０では、カード処理ユニット４０で、例えば、１回の貸出操作毎に１度数＝１００円分相当の数の遊技媒体を貸出す設定となっている場合、該遊技媒体の貸出操作が１回行われる毎に、１度数（＝１００円）分の額に、該１度数に対応する消費税分（現行は５％＝５円）の額を加えた額を逐次減算する処理機能を有する。
【００６２】
この場合、カード処理ユニット４０において、例えば、１００００円のプリペイドカード５を受け入れた状態での各回の玉貸終了時の残額パターン（１０５円ずつ減少）は、１００００円→９８９５円→９７９０円→９６８５円→…となる。
【００６３】
一方、本発明に係わるカード精算機５０では、プリペイドカード５等の残額精算は千円札と１００円硬貨で行われる。
【００６４】
かかる運用方式では、カード処理ユニット４０での減算パターンによっては、プリペイドカード５等には、最終的には、１００円未満の残高、つまり、カード精算機５０で払出し可能な最小金額（この例では、１００円）に満たない残高（端数残高）が残ることになる。
【００６５】
本発明に係わる記録媒体精算システム（以下、カード精算システム）は、図１に示す遊技システム中のカード発行機２０、カード処理ユニット４０及びカード精算機５０とＴ／Ｃ１０間をＬＡＮ７０を介して通信可能に接続して構成され、カード精算機５０でのプリペイドカード５等の残高精算時、上述した端数金額が生じた場合、カード精算機５０に備わる端数調整処理手段５５０により該端数金額を適宜に調整処理することによって端数の無い精算額を算出し、該精算額での出金を行なうよう処理（図１におけるカード精算処理参照）するものである。
【００６６】
以下、本発明に係わる端数調整処理手段５５０の実施形態について具体的な実施例を挙げながらより詳細に説明する。
【００６７】
第１の実施形態：
第１の実施形態では、カード精算機５０における端数調整処理手段５５０（図１参照）として、精算対象のプリペイドカード５等の残高に含まれる端数分を繰り上げ、繰り下げ、あるいは四捨五入する等によって端数無い残額に調整する残額調整手段を用いる。
【実施例１】
【００６８】
図５は、実施例１に係わるカード精算システムに用いるカード精算機５０Ａの正面外観構成を示す図であり、図６は該カード精算機５０Ａの機能構成を示すブロック図である。
【００６９】
図５において、カード精算機５０Ａは箱形の本体部５１を有しており、前面には片開き状の扉体５２が備えられている。
【００７０】
扉体５２の前面には、精算するプリペイドカード５等の挿入および精算後のプリペイドカード５等の返却のためのプリペイドカード挿入／排出口５３１と、カードの残り度数と精算可能金額などが表示可能な液晶表示部５１２と、カードを精算する意志を指示する精算ボタン５１３と、カードの精算中止（取消）を指示する取消ボタン５１４と、精算紙幣を払い出す紙幣払出口５３３と、精算硬貨を払い出す硬貨払出口５３４とが備えられている。
【００７１】
かかる外観構造を有するカード精算機５の機能構成は図６に示す如くであり、図５に示した液晶表示部５１２、精算ボタン５１３、取消ボタン５１４の他、プリペイドカード挿入／排出口５３１から挿入されるプリペイドカード５等の磁気データ（カード番号、店コード、発行日時等の識別符号）の読取り処理等を行うプリペイドカード処理装置５１１、千円札収容部に補填された千円札を、精算時に該収納部から繰り出し、保留部に集積後、まとめて紙幣払出口５３３から払い出す紙幣処理装置５１５、硬貨ホッパに補填された１００円硬貨を精算時に硬貨払出口５３４から払い出す硬貨処理装置５１６、精算履歴などが記録されたジャーナルを出力するジャーナルプリンタ５１７、店員がカード精算機５０Ａの各種制御条件等を簡易設定するために用いるハンディ端末機５１８、装置各部に電源を供給する電源部５１９、Ｔ／Ｃ１０との間の残高問合せや残高応答等のための通信を行う通信Ｉ／Ｆ部５２０、装置全体の制御を行なう制御部５２５を具備して構成される。
【００７２】
制御部５２５には、プリペイドカード５等からプリペイドカード処理装置５１１により読み取られたカードＩＤに基づきＴ／Ｃ１０に残高を問い合わせ、該問合せに対応してＴ／Ｃ１０から応答送出される当該カードＩＤに対応する残高に本装置５０Ａの払出し可能な最小金額（例えば１００円）に満たない端数があるか否かをチェックし、端数がありかつ端数調整精算が指示された場合には、該端数を予め設定された調整方法で調整して該端数のない残額を求める処理を行う残額調整処理部５２５３、残高に端数がない場合には当該残高に相当する現金を、また、端数が有りかつ端数調整精算が指示された場合には、端数調整後の残額に相当する現金を、それぞれ、紙幣処理装置５１５及び／または硬貨処理装置から出金する制御を行なう精算制御部５２５１が設けられる。
【００７３】
本実施例において、残額調整処理部５２５３は、プリペイドカード５等の残高に含まれる端数分を予め設定されている端数調整条件に従い、繰り上げ、繰り下げあるいは四捨五入等することにより端数調整（端数を無くす）を行なう処理機能を有するものである。
【００７４】
本実施例に係わるカード精算機５０Ａの構成（図６参照）において、上記残額調整処理部５２５３が図１に示した端数調整処理手段５５０に相当する。
【００７５】
一方、Ｔ／Ｃ１０には、カード精算機５０Ａでのプリペイドカード５等の精算時に行う端数調整処理時の端数調整条件を設定する手段が設けられる。図２に示すブロック図中、制御部１１内に設けられる端数調整条件設定処理部１１１が上記端数調整条件設定手段に相当する。
【００７６】
Ｔ／Ｃ１０において、端数調整条件設定処理部１１１は、表示装置１５に設定画面を表示したうえで入力装置１５を用いて行われる設定操作に基づき、端数単位及び端数調整方法の入力を受付け、該入力された端数単位及び端数調整方法が指定された端数調整条件を例えばメモリ１３内に保持する。
【００７７】
本実施例では、端数調整条件のうち、例えば、調整単位については、１００円未満、５００円未満、１０００円未満等のいずれの金額を端数として扱うかを設定する。
【００７８】
その際、カード精算機５０Ａの払出し可能貨幣の最小単位と関連して上記調整単位を設定し、例えば、カード精算機５０Ａの払出し可能貨幣の最小単位が１００円である場合には、１００円未満を端数として扱う旨の設定を行う。
【００７９】
また、調整方法としては、カード精算機５０Ａの残額調整処理部５２５３における端数調整（端数の繰り上げ、繰り下げ、四捨五入等）機能に対応して、端数を繰り上げ、繰り下げ、あるいは四捨五入のうちのいずれかを行なうことを設定する。
【００８０】
ここで、調整方法として繰り上げを行なうことを設定すれば通常は遊技店側が損をすることになるが、既存の最小単位金額（１００円）未満の額の現金（１０円あるいは１円）を払い出す硬貨払出部が増設不要なことによるカード精算機５０Ａのコストメリットや、低額硬貨（１０円や１円）の管理が不要になることによるメリットとの兼ね合いで選択することで必ずしも損を被らずに済む。
【００８１】
端数調整条件設定処理部１１１により設定され、メモリ１３内に保持された端数調整条件（調整単位及び調整方法）は、その後、カード精算機５０Ａに送出され、例えば、制御部５２５内に保持される。
【００８２】
以後、カード精算機５０Ａでは、挿入されたプリペイドカード５等に対して、精算制御部５２５１と残額調整処理部５２５３とが協働して、制御部５２５に保持された端数調整条件を用いて図７に示すような端数調整処理動作を行なう。
【００８３】
図７に示すように、本実施例に係わるカード精算機５０Ａでは、待機中、プリペイドカード５等が挿入されたか否かを監視し（ステップＳ１０１）、プリペイドカード５等が挿入される（ステップＳ１０１ＹＥＳ）と、プリペイドカード処理装置５１１が該プリペイドカード５等からカードＩＤを読取り、精算制御部５２５１が、Ｔ／Ｃ１０に対して、該読み取られた当該カードＩＤに対応する残高の問合せ行なう（ステップＳ１０２）。
【００８４】
一方、Ｔ／Ｃ１０は、カード精算機５０Ａからの残額の問合せに対して、該カードＩＤに対応する残額をプリペイド管理テーブル１３１から検索し、該残額をカード精算機５０Ａに送出する。なお、会員カード６の精算が行なわれる場合、残額情報は会員管理テーブル１３３から検索し、送出される。
【００８５】
これに対して、カード精算機５０Ａは、上記ステップＳ１０２での残額問合せに対してＴ／Ｃ１０から応答送出される残高（挿入中のプリペイドカード５等のカードＩＤに対応する残額）を受信すると、残額調整処理部５２５３が、事前にＴ／Ｃ１０から受信して例えば制御部５２５内に保持している端数調整条件のうちの調整単位を参照し（ステップＳ１０３）、Ｔ／Ｃ１０から受信した残額に、該調整単位未満の端数が存在するか否かを判定する（ステップＳ１０４）。
【００８６】
ここで、端数が存在しなければ（ステップＳ１０４ＮＯ）、精算制御部５２５１は、当該残額に相当する現金（紙幣及び／または硬貨）を紙幣処理装置５１５及び／または硬貨処理装置５１６から紙幣払出口５３３及び／または硬貨払出口５３４に投出することで精算金として出金する（ステップＳ１４１）。
【００８７】
これに対し、端数が存在すれば（ステップＳ１０４ＹＥＳ）、残額調整処理部５２５３は、上記端数調整条件中のうちの調整方法を参照し（ステップＳ１０５）、残高に含まれる端数を、設定されている方法で調整して精算する旨を遊技客に報知する（ステップＳ１０６）。
【００８８】
この報知は、例えば、上記端数を含むカード残額と、端数を含まないように調整した後の残額である精算額と、端数を調整した後の精算額での精算を希望する場合には精算ボタン５１３を押下することを指示する旨のメッセージ等から成る残額／精算額画面を液晶表示部５１２に表示することにより行なう。
【００８９】
この残額／精算額画面の表示中、所定期間を経過しても、精算開始指示操作としての精算ボタン５１３の押下がなされない場合（ステップＳ１０７ＮＯ）、残額調整処理部５２５３は、端数調整精算が拒否されたものと認識して精算処理を停止し、挿入中のプリペイドカード５等を遊技客に返却する（ステップＳ１４５）。
【００９０】
これに対して、残額／精算額画面の表示中、精算ボタン５１３が押下された場合（ステップＳ１０７ＹＥＳ）、残額調整処理部５２５３は、上記端数を上記調整方法に従って処理することにより端数の無い残高である精算額を算出し、該精算額に対応する紙幣及び／または硬貨を紙幣処理装置５１５及び／または硬貨処理装置５１６から紙幣払出口５３３及び／または硬貨払出口５３４に投出することで精算金を遊技客に払い出す（ステップＳ１０８）。
【００９１】
上記ステップＳ１０８あるいはＳ１４１で精算金を払い出した（出金した）後、精算制御部５２５１は、上記ステップＳ１０１で挿入されたカードが会員カード６であるか否かをチェックする（ステップＳ１４２）。
【００９２】
ここで、挿入カードが会員カード６である場合（ステップＳ１４２ＹＥＳ）は、当該会員カード６を返却（ステップＳ１４３）した後に処理を終了し、一方、挿入カードが会員カード６でない場合すなわちプリペイドカード５である場合（ステップＳ１４２ＮＯ）には、当該プリペイドカード５をカード精算機５０Ａの機内に回収（ステップＳ１４４）した後に処理を終了する。
【００９３】
図７におけるカード精算機５０Ａでの処理動作を踏まえ、以下、本実施例に係わるカード精算システムの具体的な処理動作について説明する。
【００９４】
図８は、実施例１に係わるカード精算システム全体のカード処理の流れを示す概念図である。尚、図８では、プリペイドカード５が利用される場合についてのみ記載しており、会員カード６の利用については省略している。
【００９５】
本実施例に係わるカード精算システムは、Ｔ／Ｃ１０と、カード発行機２０と、カード処理ユニット４０と、カード精算機５０ＡとをＬＡＮ７０により通信可能に接続して構成される。
【００９６】
このシステムでは、例えば、遊技店の開店時刻前、Ｔ／Ｃ１０において、入力装置１４及び表示装置１５を用いて端数調整条件設定処理部１１１の処理により端数単位と端数調整方法から成る端数調整条件を設定する。
【００９７】
本実施例では、例えば、図８に示すように、Ｔ／Ｃ１０において、端数調整条件として「調整単位＝１００円未満」、「調整方法＝繰り上げ」という端数調整条件が設定されているものとする。
【００９８】
Ｔ／Ｃ１０において設定された端数調整条件は、カード精算機５０Ａに送出され、カード精算機５０ＡはＴ／Ｃ１０から受信した端数調整条件を、例えば、制御部５２５の所定記憶エリアに記憶する。
【００９９】
かかる運用準備が完了し、遊技店の開店時刻になると、以後、本システムでは、図８に示すようなプリペイドカード処理を行う。
【０１００】
まず、プリペイドカード５を購入しようとする遊技客がカード発行機２０に対して現金を投入し、所定の購入金額に相当する金額ボタンを押下すると（ステップＳ１１）、カード発行機２０はＴ／Ｃ１０に対して上記金額ボタンに対応する金額情報を含むカード登録依頼を送出する（ステップＳ１２）。
【０１０１】
Ｔ／Ｃ１０では、カード発行機２０からカード登録依頼を受信すると、プリペイド管理テーブル１３１にプリペイドカード５用のカードＩＤと、該カード登録依頼に含まれる金額情報に対応する金額に対応する発行額と残額（発行時は、発行額と一致）を新たに書き込んでカード登録処理を行い（ステップＳ１３）、該カード登録処理が終了すると、登録が完了した旨を示すカード登録完了通知（新たに登録されたカードＩＤを含む）をカード発行機２０に送信する（ステップＳ１４）。
【０１０２】
カード発行機２０は、カード登録完了通知をＴ／Ｃ１０から受信すると、該通知に含まれるカードＩＤ、あるいは発行店コード等の所定事項を磁気記録し、かつ発行店名、カードＩＤ、発行日、有効期限、発行金額等等の必要な情報を印字したプリペイドカード５を発行する（ステップＳ１５）。
【０１０３】
その後、プリペイドカード５を購入した遊技客が、カード処理ユニット４０のカード挿入口に該プリペイドカード５を挿入し（ステップＳ１６）、対応する遊技機４５に設けられる遊技媒体（玉またはメダル）貸出用の貸出ボタン（この例では、玉貸ボタン）を押下すると（ステップＳ１７）、玉投出機構が作動し、遊技機４５の上皿へと予め遊技客により設定されている貸出単位（１回の貸出操作により貸し出される度数）分のパチンコ玉が投出される。
【０１０４】
この玉貸出し処理に際し、カード処理ユニット４０は、Ｔ／Ｃ１０との交信を通じて、挿入中のプリペイドカード５に対応する残額の更新処理（ステップＳ１８）を行う。
【０１０５】
このカード更新処理において、カード処理ユニット４０は、挿入中のプリペイドカード５からカードＩＤを読み取ると共に、上記貸出ボタンが押下される毎に、該読み取ったカードＩＤを含む残額更新要求をＴ／Ｃ１０に送信する。
【０１０６】
Ｔ／Ｃ１０は、カード処理ユニット４０から残額更新要求を受信すると、該要求中に含まれるカードＩＤをキーにプリペイドカード管理テーブル１３１を検索して該カードＩＤに対応する残額を認識し、該残額から１回当たりの貸出単位金額（例えば、１００円）分と、該貸出単位金額に対する消費税金額（同、５円）分を減算することにより当該カードＩＤに対応する残額の更新を行なう。
【０１０７】
カード処理ユニット４０とＴ／Ｃ１０間で、遊技機４５の貸出ボタンが押下される毎に、上述した消費税分減額処理を含む残高更新処理（ステップＳ１８）を実施する。
【０１０８】
この残額更新処理によって、例えば、残額＝１００００円であるカードＩＤ＝００２９８のプリペイドカード５を挿入後、貸出ボタンが６１回押下された時点で、当該カードＩＤ＝００２９８に対応する残額が３５９５〔１００００−（１０５×６１＝６４０５）〕円に更新され、同様に、残額＝５０００円であるカードＩＤ＝００３００のプリペイドカードを挿入後、貸出ボタンが３３回押下された時点で、当該カードＩＤ＝００３００に対応する残額が１５３５〔５０００−（１０５×３３＝３４６５）〕円に更新される。
【０１０９】
その後、遊技を終えた遊技客が遊技機４５の返却ボタンを押下すると、カード処理ユニット４０は、該操作をカード返却要求と認識し、挿入中のプリペイドカード５を遊技客に返却する（ステップＳ１９）。
【０１１０】
遊技終了によりプリペイドカード５を返却された遊技客が、その後、カード精算機５０Ａに当該プリペイドカード５を挿入すると（ステップＳ２０）、カード精算機５０Ａは、該プリペイドカード５からカードＩＤを読取り、Ｔ／Ｃ１０に対して当該カードＩＤに対応する残高の問合せ行なう（ステップＳ２１）。
【０１１１】
一方、Ｔ／Ｃ１０は、カード精算機５０Ａからの残額の問合せに対して、該カードＩＤに対応する残額をプリペイド管理テーブル１３１から検索し、該残額をカード精算機５０Ａに送出する残額応答処理を行う（ステップＳ２２）。
【０１１２】
カード精算機５０Ａは、上記ステップＳ２１での残額問合せに対してＴ／Ｃ１０から応答送出される残高（挿入中のプリペイドカード５のカードＩＤに対応する残額）を受信すると、該残額を現金に精算する精算処理を行う。
【０１１３】
この精算処理において、カード精算機５０Ａでは、残額調整処理部５２５３による図７のステップＳ１０３〜Ｓ１０６の処理を経て、液晶表示部５１２に残額／精算額画面を表示する（ステップＳ２３）。
【０１１４】
この例では、端数調整条件（調整単位＝１００円未満、調整方法＝繰り上げ）の設定環境下で、例えば、カードＩＤ＝００２９８のプリペイドカード５の精算時には、例えば、図９に示すように、１００円未満の端数（＝９５円）を含むカード残額（＝３５９５円）と、端数を含まないように調整（繰り上げ）した後の残額である精算額（＝３６００円）と、精算開始の指示を促すメッセージ“「精算」ボタンを押してください”を含む残額／精算額画面５１２１を表示し、当該表示中の精算額（＝３６００円）による端数調整精算を行うか否かの指示待ち状態に移行する。
【０１１５】
この残額／精算額画面５１２１の表示中、精算ボタン５１３が押下されると（ステップＳ２４）、カード精算機５０Ａは、残額調整処理部５２５３での図７のステップＳ１０８の処理によって、この時の端数（＝９５円）を設定されている調整方法（＝繰り上げ）で処理して端数の無い精算額（＝３６００円）を算出し、該精算額に相当する現金（例えば、千円札３枚、１００円硬貨６枚）を各々対応する紙幣処理装置５１５あるいは硬貨処理装置５１６から紙幣払出口５３３あるいは硬貨払出口５３４に精算金として出金する（ステップＳ２５）。
【０１１６】
同様に、カードＩＤ＝００３００のプリペイドカード５の精算時には、１００円未満の端数（＝３５円）を含むカード残額（＝１５３５円）と、端数を含まないように調整した後の残額である精算額（＝１６００円）を含む残額／精算額画面５１２１を表示し（ステップＳ２３）、該残額／精算額画面５１２１の表示中、精算ボタン５１３が押下されると（ステップＳ２４）、カード精算機５０Ａは、端数除去処理部５２５３での図７のステップＳ１０８の処理によって、この時の端数（＝３５円）を設定されている繰り上げ処理して端数の無い精算額（＝１６００円）を算出し、該精算額に相当する現金（例えば、千円札１枚、１００円硬貨６枚）を精算金として出金する（ステップＳ２５）。
【０１１７】
本実施例でのより具体的な精算処理例を挙げると、図８の例では、「調整単位＝１００円未満、調整方法＝繰り上げ」が端数調整条件として設定されている状況下において、例えば、カードＩＤ＝００２９８のプリペイドカードが挿入された後、Ｔ／Ｃ１０から、該プリペイドカード５の当該時点の残額＝３５９５円の通知を受けると、該残額と、該残額から１００円未満の端数（＝９５円）を繰り上げて算出した精算額（＝３６００円）を残額／精算額表示画面５１２１に表示し、この状態で精算ボタン５１３が押下されると、１００円未満を繰り上げ処理して端数を調整した精算額＝３６００円を精算金として払い出す動作を行なう。
【０１１８】
同様に、カードＩＤ＝００３００のプリペイドカード５が挿入された後、Ｔ／Ｃ１０から、該プリペイドカード５の当該時点の残額＝１５３５の通知を受けると、該残額と、該残額から１００円未満の端数（＝３５円）を繰り上げて算出した精算額（＝１６００円）を残額／精算額表示画面５１２１に表示し、この状態で精算ボタン５１３が押下されると、１００円未満を繰り上げ処理して端数をなくした精算額＝１６００円を精算金として払い出す制御を行なう。
【０１１９】
このように、本実施例では、カード精算機５０Ａに、図１における端数調整処理手段５５０として、プリペイドカード５等の残高に含まれる端数分を繰り上げ、繰り下げあるいは四捨五入等により調整して端数の無い残額を算出する残額調整処理部５２５３を設けている。
【０１２０】
この残額調整処理部５２３５の端数調整処理によれば、カード精算機５０Ａの払出し可能貨幣の最小金種未満の額を端数として調整するように設定することで、該最小金種未満の硬貨を扱う硬貨払出部を設ける必要がなく、カード精算機５０Ａのコストアップ並びに構造の複雑化を回避することができる。
【０１２１】
また、カード精算機５０Ａ内に既存の最小金種未満の硬貨払出部を設ける必要性が無いことにより、当該最小金種未満の硬貨の補填や回収等のメンテナンス作業も当然不要となり、遊技店側の作業負担を軽減できる。
【０１２２】
また、遊技客側からすれば、プリペイドカード５等の精算時に上記最小金種未満の硬貨（小銭）の受け取りを行なわずに済み、小銭を持ちたがらない遊技客に対するサービス向上も見込める。
【０１２３】
なお、本実施例における上記の説明では、Ｔ／Ｃ１０に端数調整条件設定手段（端数調整条件設定処理部１１１）を設け、該Ｔ／Ｃ１０で設定した端数調整条件をカード精算機５０Ａが受取ってその後の端数調整処理に利用するようにしているが、端数調整条件設定手段は、システム内のどこに設けても良い。
【０１２４】
例えば、端数調整条件設定手段をカード精算機５０Ａに設け、精算処理時には、端数を含む残額情報をそのままＴ／Ｃ１０から受取った後、該カード精算機５０Ａ自らが、該端数調整処理手段により設定された端数調整条件を用いて端数調整処理を行う構成としても良い。  
この点は、以下の各実施形態においても同様である。
【０１２５】
第２の実施形態：
第２の実施形態では、カード精算機５０における端数調整処理手段５５０（図１参照）として、精算対象のプリペイドカード５等の残高のうちの端数分または任意の額分（端数分を含む）を現金価値として特定の媒体に移動させる端数移動処理手段を用いる。
【０１２６】
図１０は、第２の実施形態に係わるカード精算機５０Ｂの機能構成を示すブロック図である。
【０１２７】
本実施形態のカード精算機５０Ｂは、制御部５２５内に、プリペイドカード５等の残高のうちの端数分、または該端数を含む任意の額分の現金価値を特定の媒体に移動させる処理を行う端数移動処理部５２５５を設けると共に、更に、該端数移動処理部５２５５の処理により外部の媒体に端数を伝達する端数伝達部５２１を設けて構成される。
【０１２８】
カード精算機５０Ｂにおいて、端数移動処理部５２５５と、端数移動部５２１とが上述した端数調整処理手段（＝端数移動手段）５５０に相当し、これら端数移動処理部５２５５及び端数移動部５２１以外の構成は、第１の実施形態におけるカード精算機５０Ａ（図６参照）と同等である。
【０１２９】
本実施形態では、端数を伝達する媒体として、例えば、電子マネーとしての有価価値（金額情報）を記憶するＩＣを搭載する電子マネーカード９０やＩＣ携帯電話端末９５等の電子マネー媒体を用いる。
【０１３０】
また、端数伝達部５２１（電子マネー媒体受付手段に相当）としては、端数伝達媒体である電子マネーカード９０やＩＣ携帯電話端末９５の挿入（装着）を受け入れてこれら媒体中のＩＣに端数残高に対応する電子マネーの価値情報を書き込むＩＣ読取／書込装置（ＩＣリーダ／ライタ）により構成される。
【０１３１】
このカード精算機５０Ｂは、後述する実施例２に係わるカード精算システム（図１２参照）内に配置され、受け入れたプリペイドカード５等に対する精算処理を行う。
【０１３２】
この精算処理に先立って、Ｔ／Ｃ１０では、端数調整条件として、実施例１で述べた端数単位の他、プリペイドカード５等の残高に含まれる端数を電子マネーにより精算するか否かを指定するカード精算設定、電子マネー精算を受付ける媒体（キャリア）の種別、端数分以外にも任意の残額を電子マネーとして加算して受け入れるか否かを指定する電子マネー加算設定、電子マネーの加算精算を受け入れる場合の加算額の上限値（電子マネー加算上限値）等の端数調整方法を設定し、該設定された端数調整条件をカード精算機５０Ｂに送信する。
【０１３３】
カード精算機５０Ｂは、Ｔ／Ｃ１０から送出された端数調整条件を受信して例えば制御部５２５内に保持し、以後、該端数調整条件を参照して端数調整を含む精算処理を行う。
【０１３４】
図１１は、カード精算機５０Ｂの精算処理動作を示すフローチャートである。
【０１３５】
図１１において、ステップＳ１０１ａ〜Ｓ１０６ａ、Ｓ１４１ａ〜Ｓ１４５ａの各処理は、図７における実施例１のカード精算機５０ＡでのステップＳ１０１〜Ｓ１０６、Ｓ１４１〜Ｓ１４５の各処理とそれぞれ同等である。ここでは、ステップＳ１２１以降の処理を主体に説明する。
【０１３６】
図１１において、カード精算機５０Ｂでは、Ｔ／Ｃ１０から受信した残額に基づき、ステップＳ１０４ａで該残額に端数が存在すると判定した場合（ステップＳ１０４ＹＥＳ）、端数移動処理部５２５５は、予め保持している端数調整条件中のうちの調整方法（キャリア種別、電子マネー加算設定、電子マネー加算上限値等）を参照し（ステップＳ１０５ａ）、該端数を、設定されている方法で調整して精算する旨を遊技客に報知する（ステップＳ１０６ａ）。
【０１３７】
この報知は、例えば、上記端数を含むカード残額、端数を含まないように調整した後の残額である精算額、端数に対応する電子マネーの金額、電子マネーを移動させる媒体（電子マネー媒体：キャリア）の装着を促すメッセージ、電子マネーの加算希望の場合には加算ボタンを押下することを指示する旨のメッセージ、端数に対応する電子マネー価値あるいは加算後の電子マネー価値による精算を希望する場合には精算ボタン５１３を押下することを指示する旨のメッセージ等から成る残額／精算額画面を液晶表示部５１２に表示することにより行なう。
【０１３８】
この残額／精算額画面の表示中、所定期間を経過しても、キャリアが装着されない場合（ステップＳ１２１ＮＯ）、端数移動処理部５２５５は、端数移動精算が拒否されたものと認識して精算処理を停止し、挿入中のプリペイドカード５等を遊技客に返却する（ステップＳ１４５ａ）。
【０１３９】
これに対して、残額／精算額画面の表示中、キャリアが装着された場合（ステップＳ１２１ＹＥＳ）、端数移動処理部５２５５は、端数に対応する電子マネー価値に対して、更に、任意の残額分に対応する電子マネー価値の加算操作（加算ボタン押下）がなされたか否かをチェックする（ステップＳ１２２）。
【０１４０】
ここで、加算操作がなされない場合（ステップＳ１２２ＮＯ）、次に、端数移動処理部５２５５は、精算指示操作がなされたか否かをチェックする（ステップＳ１２４）。
【０１４１】
これに対し、加算操作がなされた場合（ステップＳ１２２ＹＥＳ）、端数移動処理部５２５５は、該加算操作回数を保持（ステップＳ１２３）した後、ステップＳ１２４に進む。
【０１４２】
ここで、精算指示操作が行われない（ステップＳ１２４ＮＯ）間は、上記ステップＳ１２２及びＳ１２３の処理を継続する。尚、いずれかの段階において取消ボタン５１４が押下されて、取消指示があった場合には、精算処理を停止し、プリペイドカード５等を返却する。
【０１４３】
この間、精算指示操作がなされる（ステップＳ１２４ＹＥＳ）と、端数移動処理部５２５５は、端数分の電子マネー価値に、上記ステップＳ１２３にて保持した加算操作回数に対応する電子マネー価値を加算した額を、上記ステップＳ１２１で受け入れているキャリアに端数伝達部５２１を通じて移動させる処理（ステップＳ１２５）を行う。
【０１４４】
この処理は、上記キャリアが電子マネーカード９０である場合には、端数伝達部５２１であるＩＣリーダ／ライタの挿入口に挿入されている当該電子マネーカード９０内のＩＣ部に対して該ＩＣリーダ／ライタにより上記電子マネー価値（端数＋加算額）を書き込むことにより行なう。
【０１４５】
また、上記キャリアがＩＣ携帯電話端末９５である場合には、端数伝達部５２１であるＩＣリーダ／ライタの装着部に装着されている当該ＩＣ携帯電話端末９５に対して該ＩＣリーダ／ライタにより上記電子マネー価値（端数＋加算額）を書き込むことにより行なう。
【０１４６】
上記電子マネー価値の移動（ステップＳ１２５）が完了すると、精算制御部５２５１は、カード残額から上記伝達した電子マネー価値分の額を減算した精算額を求め、該精算額に対応する紙幣及び／または硬貨を紙幣処理装置５１５及び／または硬貨処理装置５１６から紙幣払出口５３３及び／または硬貨払出口５３４に投出することで精算金として遊技客に払い出す（ステップＳ１２６）。
【０１４７】
上記ステップＳ１２６あるいはＳ１４１ａで精算金を払い出した（出金した）後、精算制御部５２５１は、上記ステップＳ１０１ａで挿入されたカードが会員カード６であるか否かをチェックする（ステップＳ１４２ａ）。
【０１４８】
ここで、挿入カードが会員カード６である場合（ステップＳ１４２ａＹＥＳ）は、当該会員カード６を返却（ステップＳ１４３ａ）した後に処理を終了し、一方、挿入カードが会員カード６でない場合すなわちプリペイドカード５である場合（ステップＳ１４２ａＮＯ）には、当該プリペイドカード５をカード精算機５０Ｂの機内に回収（ステップＳ１４４ａ）した後に処理を終了する。
【０１４９】
図１１におけるカード精算機５０Ｂでの処理動作を踏まえ、以下、本実施形態に係わる実施例（実施例２）について説明する。
【実施例２】
【０１５０】
図１２は、実施例２に係わるカード精算システムの全体構成とカード処理の流れを示す概念図である。尚、図１２では、プリペイドカード５が利用される場合についてのみ記載しており、会員カード６の利用については省略している。
【０１５１】
本実施例に係わるカード精算システムは、Ｔ／Ｃ１０と、カード発行機２０と、カード処理ユニット４０と、カード精算機５０ＢとをＬＡＮ７０により通信可能に接続して構成される。
【０１５２】
このシステムにおけるカード処理のうち、ステップＳ１１〜Ｓ２２までの各処理は、実施例１に係わるシステム（図８参照）における同ステップ番号の各処理とそれぞれ同等であるため、この部分の詳細な説明は割愛する。
【０１５３】
ここで、本実施例特有のステップＳ２３以降の端数調整精算処理動作を主体に説明する。
【０１５４】
なお、この精算処理を実施するに当たり、本システムでは、運用に先立ち（開店時刻前等）、Ｔ／Ｃ１０の端数調整条件設定処理部１１１により、端数調整条件として、「カード精算設定＝１０円単位切捨て」，「電子マネー加算設定＝ユーザ希望額加算」，「電子マネー加算上限（端数を除く）＝１万円」が設定され、該設定された端数調整条件が予めカード精算機５０Ｂに送信され、制御部５２５に保持されているものとする。
【０１５５】
また、端数伝達用のキャリアとしては電子マネーカード９０が用いられ、カード精算機５０Ｂにおける端数伝達部５２１としては該電子マネーカード９０に対応するＩＣリーダ／ライタが用いられるものとする。
【０１５６】
この他、図１０には図示していない構成として、カード残額のうちの任意の金額を電子マネーとして加算することを指示するためのボタンとして、千円加算を指示する千円加算ボタンと、百円加算を指示する百円加算ボタンが設けれるものとする。
【０１５７】
このシステムにおいて、カード精算機５０Ｂは、ステップＳ２１での残額問合せに対してＴ／Ｃ１０から応答送出（ステップＳ２２）される残高（挿入中のプリペイドカード５のカードＩＤに対応する残額）を受信すると、該残額を現金に精算する精算処理を行う。
【０１５８】
この精算処理において、カード精算機５０Ｂでは、端数移動処理部５２５５による図１１のステップＳ１０３ａ〜Ｓ１０６ａの処理を経て、液晶表示部５１２に残額／精算額画面を表示する（ステップＳ２３）。
【０１５９】
この例では、端数調整条件（調整単位＝１００円未満、調整方法＝「電子マネー加算設定＝ユーザ希望額加算」，「電子マネー加算上限（端数を除く）＝１万円」）の設定環境下で、例えば、カードＩＤ＝００２９８のプリペイドカード５の精算時には、例えば、図１３に示すように、１００円未満の端数（＝９５円）を含むカード残額（＝３５９５円）と、端数分を除いた精算額（＝３５００円）と、端数分に相当する電子マネーの金額である電子マネー購入額（＝９５円）と、電子マネー移動精算を行なう場合の操作方法を示すメッセージ“１００円未満は精算できませんが、電子マネーを購入できます。電子マネーキャリアを装着後、「精算」ボタンを押してください”と、電子マネーの加算を行なう場合の操作方法を示すメッセージ“ご希望の場合は、電子マネー購入額を加算できます、加算ボタンを希望回数押してください”とを含む残額／精算額画面５１２３を表示し、電子マネー移動あるいは電子マネー加算精算を行うか否かの指示待ち状態に移行する。
【０１６０】
この残額／精算額画面５１２３の表示中、キャリアである例えば電子マネーカード９０が装着され（ステップＳ２６）、精算ボタン５１３が押下されると（ステップＳ２７）〔図１１におけるステップＳ１２１ＹＥＳ→Ｓ１２２ＮＯ→Ｓ１２４ＹＥＳの流れに相当〕、カード精算機５０Ｂは、Ｔ／Ｃ１０と交信してプリペイドカード管理テーブル１３１内の当該プリペイドカード５のカードＩＤに対応する残額（＝３５９５円）分を減算する残額減算処理を行い（ステップＳ２８）、該減算処理の完了によりその旨の通知をＴ／Ｃ１０から受信する。
【０１６１】
その後は、端数移動処理部５２５５での図１１におけるステップＳ１２５（加算額分無し）→Ｓ１２６の処理によって、この時の端数分（＝９５円）を電子マネー価値としてＩＣリーダ／ライタにより電子マネーカード９０に書き込むと共に、該端数分（＝９５円）をこの時のカード残額（＝３５９５円）から減算することにより精算額（カード残額−端数分＝３５９５円−９５円＝３５００円）を求め、該精算額に相当する現金（例えば、千円札３枚、１００円硬貨５枚）を各々対応する紙幣処理装置５１５あるいは硬貨処理装置５１６から紙幣払出口５３３あるいは硬貨払出口５３４に精算金として出金する処理（ステップＳ２９：精算金出金＆電子マネー加算）を行なう。
【０１６２】
また、上記残額／精算額画面５１２３の表示中、キャリアである例えば電子マネーカード９０が装着され（ステップＳ２６）、電子マネー加算ボタン（千円加算ボタンあるいは１００円加算ボタン）が所定回数押下され（ステップＳ２６´）た後、精算ボタン５１３が押下されると（ステップＳ２７）〔図１１におけるステップＳ１２１ＹＥＳ→Ｓ１２２ＹＥＳ及びＳ１２３（複数回）→Ｓ１２４ＹＥＳの流れに相当〕、カード精算機５０Ｂは、Ｔ／Ｃ１０と交信してプリペイドカード管理テーブル１３１内の当該プリペイドカード５のカードＩＤに対応する残額（＝３５９５円）分を減算する残額減算処理を行い（ステップＳ２８）、該減算処理の完了によりその旨の通知をＴ／Ｃ１０から受信する。
【０１６３】
その後は、端数移動処理部５２５５での図１１におけるステップＳ１２５（加算額分有り）→Ｓ１２６の処理によって、まず、それまでに保持した電子マネー加算ボタンの押下回数に応じた加算額分と端数（９５円）分を合計した電子マネー購入分〔端数分（＝９５円）＋加算ボタンの押下回数×加算ボタンに対応付けられた加算額（千円または百円）：例えば、百円加算ボタンが５回押下された場合は、（９５＋１００×５＝５９５円）を求めたうえで、該電子マネー購入分（５９５円）を電子マネー価値としてＩＣリーダ／ライタにより電子マネーカード９０に書き込むと共に、上記電子マネー購入分（＝５９５円）をこの時のカード残額（＝３５９５円）から減算することにより精算額（カード残額−電子マネー購入分（端数分含む）＝３５９５円−５９５円＝３０００円）を求め、該精算額に相当する現金（例えば、千円札３枚）を対応する紙幣処理装置５１５から紙幣払出口５３３に精算金として出金する処理（ステップＳ２９：精算金出金＆電子マネー加算）を行なう。
【０１６４】
同様に、カードＩＤ＝００３００のプリペイドカード５の挿入時にも、あるいは、電子マネーキャリアとしてＩＣ携帯電話端末９５が装着された場合にも、図１２におけるステップＳ２３→Ｓ２６（→Ｓ２６´）→Ｓ２７からＳ２９の処理を経て端数分を含む電子マネー移動精算処理を実現できる。
【０１６５】
このように、第２の実施形態では、カード精算機５０Ｂに、図１における端数調整処理手段５５０（図１参照）として、精算対象のプリペイドカード５等の残高のうちの端数分または任意額分（端数分を含む）の現金価値を特定の媒体（電子マネーカード９０やＩＣ携帯電話端末９５等）に移動させる端数移動処理手段を設けたものである。
【０１６６】
この端数移動処理手段によるプリペイド端数残高移動処理によれば、端数分を含めた任意の価値分が外部の媒体に移動され、残った価値分（端数を含まず）を精算額として払い出すため、端数単位を例えば本カード精算機５０Ｂにおける払出し可能な最小金額（例えば、１００円）未満に設定することにより、該最小金額未満の硬貨を扱う硬貨払出部を設ける必要がなく、実施例１と同等の作用効果が期待できる。
【０１６７】
第３の実施形態：
第３の実施形態では、カード精算機５０における端数調整処理手段５５０（図１参照）として、精算対象のプリペイドカード５等の残高のうちの端数分を現金価値とは異なる価値に変換し、該変換後の価値を特定の媒体に移動させる価値変換移動処理手段を用いる。
【０１６８】
図１４は、第３の実施形態に係わるカード精算機５０Ｃの機能構成を示すブロック図である。
【０１６９】
本実施形態のカード精算機５０Ｃは、制御部５２５内に、プリペイドカード５等の残高のうちの端数分を現金価値以外の価値に変換して特定の媒体に移動させる処理を行う端数価値変換移動処理部５２５７を設けると共に、更に、該端数価値変換移動処理部５２５７の処理に基づく変換後の価値を外部の媒体に伝達する変換端数伝達部５２２を設けて構成される。
【０１７０】
カード精算機５０Ｃにおいて、端数価値変換移動処理部５２５７と、変換端数移動部５２２とが上述した端数調整処理手段（＝端数価値変換移動手段）５５０を成しており、これら端数価値変換移動処理部５２５７及び変換端数移動部５２２以外の構成は、第１の実施形態におけるカード精算機５０（図６参照）と同等である。
【０１７１】
本実施形態において、端数価値変換移動手段による処理としては、プリペイドカード精算時に会員カード６も受け入れ、プリペイドカード５の残額に含まれる端数分を玉数に変換し、該端数分に相当する玉数を、例えば、Ｔ／Ｃ１０の会員管理テーブル１３３内で管理される当該会員カード６のカードＩＤに対応する貯玉数に加算登録する貯玉処理が挙げられる。
【０１７２】
この場合、カード精算機５０Ｃにおける端数価値変換移動処理部５２７５及び変換端数移動部５２２は、それぞれ、貯玉処理部及び会員カード処理装置（会員カード６を受け入れてカードＩＤを読み取る機能を有する）により実現でき、端数変換後の価値（貯玉数）の移動先の媒体は会員管理テーブル１３１となる。
【０１７３】
また、本実施形態において、端数価値変換移動手段による処理としては、プリペイドカード精算時、プリペイドカード５の残額に含まれる端数分を玉数に変換し、該端数分に相当する玉数を印字した玉数レシート（端数レシート）を発行する処理が挙げられる。
【０１７４】
この場合、端数価値変換移動処理部５２７５及び変換端数移動部５２２は、それぞれ、レシート発行処理部及びレシート発行機により実現でき、端数変換後の価値（玉数）の移動先の媒体は端数レシートとなる。
【０１７５】
このカード精算機５０Ｃは、後述する実施例３に係わるカード精算システム（図１５参照）、あるいは実施例４に係わるカード精算システム（図１７参照）内に配置され、受け入れたプリペイドカード５に対する精算処理を行う。
【０１７６】
以下、これら各実施例３，４について説明する。
【実施例３】
【０１７７】
図１５は、実施例３に係わるカード精算システムの全体構成とカード処理の流れを示す概念図である。
【０１７８】
本実施例に係わるカード精算システムは、Ｔ／Ｃ１０と、カード発行機２０と、カード処理ユニット４０と、カード精算機５０Ｃ−１とをＬＡＮ７０により通信可能に接続して構成される。
【０１７９】
ここで、カード精算機５０Ｃ−１は、図１４に示すカード精算機５０Ｃにおいて、端数価値変換移動処理部５２７５としては貯玉または貯メダルの処理を行う貯遊技媒体処理部が設けられ、変換端数移動部５２２としては、会員カード６を受け入れてカードＩＤを読み取る会員カード処理装置が設けられる。
【０１８０】
この他、カード精算機５０Ｃ−１には、図１４では示していない構成として、貯玉を行なうことを指示する貯玉ボタン、貯メダルを行なうことを指示する貯メダルボタンが設けられる。
【０１８１】
また、本実施例のシステムでは、運用に先立ち、Ｔ／Ｃ１０の端数調整条件設定処理部１１１により、端数調整条件として、端数として扱う金額の単位（端数単位）と端数調整方法を指定するカード精算設定に関しては、１００円未満を貯玉するか切捨てることを意味する「カード精算設定：１００円未満貯玉ｏｒ切捨て」が設定され、かつ端数分について貯玉を自動的に行なうか否かを指定する会員自動貯玉設定に関しては、貯玉を行なうか貯メダルを行なうかを選択可能であることを意味する「会員自動貯玉設定＝貯玉／貯メダル選択可」が設定され、該設定された端数調整条件が予めカード精算機５０Ｃ−１に送信され、制御部５２５に保持されているものとする。
【０１８２】
上記端数調整条件の設定によりカード精算機５０Ｃ−１での精算処理準備が整った後、本実施例のシステムでは、図１５のステップＳ１１〜Ｓ２３，Ｓ３０〜Ｓ３３の一連の流れのカード処理が実施される。
【０１８３】
このシステムにおけるカード処理のうち、ステップＳ１１〜Ｓ２２までの各処理は、実施例１に係わるシステム（図８参照）における同ステップ番号の各処理とそれぞれ同等であるため、この部分の詳細な説明は割愛する。
【０１８４】
ここでは、本実施例特有の、カード精算機５０Ｃ−１における端数調整精算処理動作（ステップＳ３０以降の処理動作）を主体に説明する。
【０１８５】
このシステムにおいて、カード精算機５０Ｃ−１は、ステップＳ２１での残額問合せに対してＴ／Ｃ１０から応答送出（ステップＳ２２）される残高（挿入中のプリペイドカード５のカードＩＤに対応する残額）を受信すると、該残額を現金に精算する精算処理に移行する。
【０１８６】
この精算処理において、カード精算機５０Ｃ−１では、端数変換移動処理部（貯遊技媒体処理部）５２５７が液晶表示部５１２に残額／精算額画面を表示する（ステップＳ２３）。
【０１８７】
この例では、端数調整条件「カード精算設定：１００円未満貯玉ｏｒ切捨て」，「会員自動貯玉設定＝貯玉／貯メダル選択可」の設定環境下で、例えば、カードＩＤ＝００２９８のプリペイドカード５の精算時には、例えば、図１６に示すように、１００円未満の端数（＝９５円）を含むカード残額（＝３５９５円）と、端数分を調整（貯玉（メダル）ｏｒ切捨て）した後の残額である精算額（＝３５００円）と、上記端数分（＝９５円）を所定の金額／玉（メダル）数レート〔例えば、玉４円／個、メダル２０円／枚の換算レート〕に基づき玉（メダル）数変換することにより得た貯玉（メダル）数〔＝２３個（３枚）〕と、端数分を貯玉（メダル）できる旨とその操作方法を示すメッセージ“１００円未満は玉・メダルボタン押下後自動的に貯玉（貯メダル）行ないます。会員カード挿入後、玉・メダルボタンを押してください”と、非会員（一般の遊技客）に対する精算方法と操作の仕方を示すメッセージ“一般のお客様は切捨てとなります。「精算」ボタンを押してください”とを含む残額／精算額画面５１２５を表示し、端数貯玉（貯メダル）による精算を行うか否かの指示待ち状態に移行する。
【０１８８】
この残額／精算額画面５１２５の表示中、会員カード６が挿入されないまま精算ボタン５１３が押下されると、カード精算機５０Ｃ−１は、Ｔ／Ｃ１０と交信してプリペイドカード管理テーブル１３１内の当該プリペイドカード５のカードＩＤに対応する残額（＝３５９５円）を減算（抹消）すると共に、該残額（＝３５９５円）から端数分（＝９５円）を減算した精算額（＝３５００円）を求め、該精算額（３５００円）に相当する現金（例えば、千円札３枚、１００円硬貨５枚）を各々対応する紙幣処理装置５１５あるいは硬貨処理装置５１６から紙幣払出口５３３あるいは硬貨払出口５３４に精算金として出金する処理を行なう。
【０１８９】
これに対し、上記残額／精算額画面５１２５の表示中、会員カード６が装着され（ステップＳ３０）、その後、例えば貯玉ボタンが押下される（ステップＳ３１）と、カード精算機５０Ｃ−１は、Ｔ／Ｃ１０と交信してプリペイドカード管理テーブル１３１内の当該プリペイドカード５のカードＩＤに対応する残額（＝３５９５円）分を減算する残額減算処理を行い、該減算処理の完了によりその旨の通知をＴ／Ｃ１０から受信すると、上記会員カード６から読み取ったカードＩＤ（会員コード：例えば、Ａ１０２３）と、上記端数分（＝９５円）を所定の金額／玉数レートに基づき玉数変換して得た玉数（貯玉数＝２３個）を含む貯玉要求をＴ／Ｃ１０に送出し、該Ｔ／Ｃ１０に、会員管理テーブル１３３内の当該会員カード６のカードＩＤ（会員コード：Ａ１０２３）に対応する貯玉数に上記貯玉要求に含まれる玉数（貯玉数＝２３個）を加算登録する貯玉処理を行わせる（ステップＳ３２：カード減額＆貯玉処理）。
【０１９０】
ステップＳ３２でのカード減算＆貯玉処理が終了すると、カード精算機５０Ｃ−１は、当該ステップＳ３２中の貯玉処理による貯玉数（＝２３個）に対応する端数分（＝９５円）をこの時のカード残額（＝３５９５円）から減算することにより精算額（３５９５円−９５円＝３５００円）を求め、該精算額に相当する現金（例えば、千円札３枚、１００円硬貨５枚）を各々対応する紙幣処理装置５１５あるいは硬貨処理装置５１６から紙幣払出口５３３あるいは硬貨払出口５３４に精算金として出金し、該出金完了後、プリペイドカード５は回収し、会員カード６を返却する処理（ステップＳ３３：精算金出金＆会員カード返却）を行なう。
【０１９１】
同様に、カードＩＤ＝００３００のプリペイドカード５の挿入時にも、例えば、カードＩＤ（会員コード：Ａ５４００）を受け入れることで、端数分（＝３５円）を当該会員コードに対応付けて会員管理テーブル１３３に貯玉し、かつ端数分を調整（切捨て）した精算額（＝１５００円）に対応する現金を出金するという精算処理が行える。
【０１９２】
尚、会員カード６に価値付けしてプリペイドカードとして使用した遊技客（会員）が残額を精算する場合は、会員カード６をカード精算機５０Ｃ−１に挿入すれば、端数分を除く残額が貨幣として払い出されるとともに、端数分が当該会員カード６に関連付けて貯玉されることになり、上述したようにプリペイドカード５を精算する場合に比べて、カード精算機５０Ｃ−１にカードを挿入する手間が少なくて済むというメリットがある。
【０１９３】
このように、本実施例では、プリペイドカード５の精算時に、会員カード６を受け入れてプリペイドカード５の残高を会員カード６から読み取った会員コードに対応付けて貯玉する機能を有するため、上記実施例１，２と同様、端数単位を例えば既存の最小精算金額（例えば、１００円）未満に設定することにより、該最小精算金額未満の硬貨を扱う硬貨払出部を設ける必要がなく、カード精算機５０のコストアップ並びに構造の複雑化を回避することができる。
【０１９４】
なお、本実施例では、端数を玉数に変換して貯玉処理を行なうようにしているが、この他、端数を来店ポイント等に変換し、会員管理テーブル１３３の来店ポイントに加算登録する処理も行うことができる。
【０１９５】
いずれの場合も、会員情報に関する端数分の加算処理であり、会員を優遇する結果、一般客の入会を促し、固定客を囲い込む効果が見込める。
【実施例４】
【０１９６】
図１７は、実施例４に係わるカード精算システムの全体構成とカード処理の流れを示す概念図である。尚、図１７では、プリペイドカード５が利用される場合についてのみ記載しており、会員カード６の利用については省略している。
【０１９７】
本実施例に係わるカード精算システムは、Ｔ／Ｃ１０と、カード発行機２０と、カード処理ユニット４０と、カード精算機５０Ｃ−２とをＬＡＮ７０により通信可能に接続して構成される。
【０１９８】
ここで、カード精算機５０Ｃ−２は、図１４に示すカード精算機５０Ｃにおいて、端数価値変換移動処理部５２７５としてはプリペイドカード５の残額に生じる端数分を玉数に変換して該玉数を印字した玉数レシート（端数レシート）５６を発行する処理を行う端数レシート発行処理部が設けられ、変換端数移動部５２２としては、端数分から変換された玉数を印字した上記端数レシート５６を発行する端数レシート発行部が設けられる。
【０１９９】
また、本実施例のシステムでは、運用に先立ち、Ｔ／Ｃ１０の端数調整条件設定処理部１１１により、端数調整条件として、レシート発行を行なう端数の金額を指定するレシート発行金額に関して１００円未満を端数として扱って端数レシート５６を発行することを意味する「レシート発行金額：１００円未満」が設定され、端数分に対して自動的に貸出す（端数レシート５６を発行する）遊技媒体を指定する自動貸出設定に関して、端数を玉数に自動変換することを意味する「自動貸出設定：玉貸固定（メダル無し）」が設定され、該設定された端数調整条件が予めカード精算機５０Ｃ−２に送信され、制御部５２５に保持されているものとする。
【０２００】
上記端数調整条件の設定によりカード精算機５０Ｃ−２での精算処理準備が整った後、本実施例のシステムでは、図１７のステップＳ１１〜Ｓ２４，Ｓ３５〜Ｓ３７の一連の流れのカード処理が実施される。
【０２０１】
このシステムにおけるカード処理のうち、ステップＳ１１〜Ｓ２４までの各処理は、実施例１に係わるシステム（図８参照）における同ステップ番号の各処理とそれぞれ同等であるため、この部分の詳細な説明は割愛する。
【０２０２】
ここでは、本実施例特有の、カード精算機５０Ｃ−２における端数調整精算処理動作（ステップＳ３５以降の処理動作）を主体に説明する。
【０２０３】
このシステムにおいて、カード精算機５０Ｃ−２は、ステップＳ２１での残額問合せに対してＴ／Ｃ１０から応答送出（ステップＳ２２）される残高（挿入中のプリペイドカード５のカードＩＤに対応する残額）を受信すると、該残額を現金に精算する精算処理に移行する。
【０２０４】
この精算処理において、カード精算機５０Ｃ−２では、端数変換移動処理部（端数レシート発行処理部）５２５７が液晶表示部５１２に残額／精算額画面を表示する（ステップＳ２３）。
【０２０５】
この例では、端数調整条件「レシート発行金額：１００円未満」，「自動貸出設定：玉貸固定（メダル無し）」の設定環境下で、例えば、カードＩＤ＝００２９８のプリペイドカード５の精算時には、例えば、図１８に示すように、１００円未満の端数（＝９５円）を含むカード残額（＝３５９５円）と、端数分を調整（端数レシート５６へ変換）した後の残額である精算額（＝３５００円）と、端数分（９５円）に相当する玉数〔レシート交換数（＝２３個）〕と、端数分に対応する玉数（レシート交換数）を持つ端数レシート（玉数レシート）５６の発行を受けられる旨と該端数レシート５６の運用方法を示すメッセージ“１００円未満の残額は自動的に玉数レシートを発行しますので、景品とお取替え下さい”を含む残額／精算額画面５１２７を表示し、端数を玉数レシートに変換する精算の開始指示待ち状態に移行する。
【０２０６】
この残額／精算額画面５１２７の表示中、精算ボタン５１３が押下されると（ステップＳ２４）、カード精算機５０Ｃ−２は、Ｔ／Ｃ１０と交信してプリペイドカード管理テーブル１３１内の当該プリペイドカード５のカードＩＤに対応する残額（＝３５９５円）分を減算する残額減算処理を行い（ステップＳ３５：カード減算）、該減算処理の完了によりその旨の通知をＴ／Ｃ１０から受信する。
【０２０７】
その後、カード精算機５０Ｃ−２は、上記端数分（＝９５円）を所定の金額／玉数レート（例えば、玉４円／個、メダル２０円／枚の換算レート）に基づき玉数変換して得た玉数（レシート交換数＝２３個）を含むレシート登録要求を景品管理装置８０に送出し、該景品管理装置８０に、該玉数分の端数レシート５６の発行に関する認証情報を登録するレシート登録処理（ステップＳ３６）を行わせる。
【０２０８】
ここで、景品管理装置８０は、例えば、図１９（ａ）に示すデータ内容のレシート管理データベース（ＤＢ）８１１と、図１９（ｂ）に示すデータ内容の交換景品データベース（ＤＢ）８１３を有し、レシート管理ＤＢ８１１では、主として、図示しない玉計数機等により発行されるレシートの認証情報（発行日時、発行場所、玉数）を管理し、景品交換ＤＢ８１３では、各景品と、該各景品との交換に要する遊技媒体（玉あるいはメダル）数とを対応付けて管理している。
【０２０９】
そして、上記ステップＳ３６のレシート登録処理に際し、景品管理装置８０は、カード精算機５０Ｃ−２から上記レシート登録要求を受けると、該レシート登録要求に含まれるレシート交換数（＝２３個）と、発行場所（カード精算機０１：５０Ｃ−２の号機番号）と、発行日時（０４／０７／１５  ２２：１３）をレシートＩＤと対応付けてレシート管理ＤＢ８１１に登録し、端数レシート認証情報として管理する。
【０２１０】
景品管理装置８０での上記レシート登録処理が完了し、その旨の通知を受けたカード精算機５０Ｃ−２では、上記ステップＳ３６でのレシート登録要求時に景品管理装置８０に送出したレシート交換数（＝２３個）に対応する端数分（＝９５円）をこの時のカード残額（＝３５９５円）から減算することにより精算額（３５９５円−９５円＝３５００円）を求め、該精算額に相当する現金（例えば、千円札３枚、１００円硬貨５枚）を各々対応する紙幣処理装置５１５あるいは硬貨処理装置５１６から紙幣払出口５３３あるいは硬貨払出口５３４に精算金として出金する。
【０２１１】
該出金完了後、投入されたカードがプリペイドカード５であれば機内に回収し、会員カード６であれば返却する処理を行うと共に、変換端数伝達部（端数レシート発行部）５２２にレシート発行を指示し、上記ステップＳ３６でのレシート登録処理時に景品管理装置８０に送出したレシート登録要求中に含まれるレシート交換数〔玉数：端数分（９５円）に対応する玉数〕と、計数日時、計数機（この例では、カード精算機５０Ｃ−２）の号機番号、レシートＩＤ（景品管理装置８０から受取る）等の各情報をこれら各情報が記録されたバーコードと共に印字した端数レシート（玉数レシート）５６を発行させる処理（ステップＳ３７：精算金出金＆レシート発行）を行う。
【０２１２】
同様に、カードＩＤ＝００３００のプリペイドカード５の挿入時にも、端数分（＝３５円）を玉数に変換して該玉数を有する端数レシート５６を発行させ、かつ端数を減額した精算額（＝１５００円）に対応する現金を出金するという精算処理が行える。
【０２１３】
このように、本実施例では、プリペイドカード５の精算時、プリペイドカード５の残高に含まれる端数分を玉数に変換して該玉数を有する端数レシート５６の発行を行なう機能を有するため、上記実施例１，２と同様、端数単位を例えば本カード精算機５０Ｃ−２における既存の最小精算金額（例えば、１００円）未満に設定することにより、該最小精算金額未満の硬貨を扱う硬貨払出部を設ける必要がなく、上記各実施例と同様の作用効果が見込める。
【０２１４】
次に、上述した処理によりカード精算機５０Ｃ−２により発行された端数レシート５６の処理方法について説明する。
【０２１５】
遊技客は、カード精算機５０Ｃ−２により発行された端数レシート５６を景品交換コーナーに持ち込み、該端数レシートを景品管理装置８０で読み取らせることにより、景品と交換することができる。
【０２１６】
図２０は、本実施例に係わる景品交換装置８０の機能構成を示すブロック図である。
【０２１７】
図２０に示すように、景品交換装置８０は、後述のバーコードリーダ８０４により読み取った玉数や景品交換処理状況等を表示する機能と、表示された情報にタッチすることにより各種の選択指示等の入力機能を有するタッチパネルから成る表示／操作部８０１、客が景品を選択するために必要な上記読み取られた玉数等の情報を表示する客用表示部８０２、景品ボタン等を有し、店員が客から選択を告げられた景品の選択操作等を行う操作部８０３、玉数レシートからバーコード情報を読み取るバーコードリーダ８０４、レシート管理ＤＢ８１１や交換景品ＤＢ８１３（図１８参照）を格納すると共に、その他各種情報を記憶する記憶部８０５、景品交換処理状況等に関するジャーナルを発行するジャーナル発行部８０６、Ｔ／Ｃ１０やカード精算機５０Ｃ−１等との通信を行う通信Ｉ／Ｆ部８０７、各部に電源を供給する電源部８０８、装置全体の制御を行なう制御部８０９を具備して構成される。
【０２１８】
この景品管理装置８０では、例えば、記憶部８０５に設けられる交換景品ＤＢ８１３内に例えば図１９（ｂ）に示すデータ内容を格納することにより交換景品管理を行なうと共に、レシート管理ＤＢ８１１内に例えば図１９（ａ）に示すデータ内容を格納することにより、遊技店内各所に設置される計数機やカード精算機５０Ｃ−２等により発行されたレシートの管理を行なう。
【０２１９】
また、景品管理装置８０では、客が持ち込んだレシート上に印字されたバーコードから該バーコードに記録された玉数や計数日時、号機番号、レシートＩＤ等の情報をバーコードリーダ８０４により読み取って玉数を表示／操作部８０１や客用表示部８０２に表示する。
【０２２０】
この玉数の表示を見た遊技客が当該玉数内で交換可能な景品の選択を告げると店員が、当該景品を遊技客に渡すと共に、該選択された景品に対応する景品ボタンを押下することにより当該景品に対応する玉数の減算を行なって該減算結果により玉数の表示を更新するという処理動作を、最小景品の交換数に満たない玉数が残るまで続けることにより、遊技客による景品交換をサポートできる。
【０２２１】
この景品管理装置８０での上述した景品交換に用いるレシートしては、玉計数機での計数に基づいて発行された通常のレシートの他、カード精算機５０Ｃ−２における図１７のステップＳ３７の処理により発行された端数レシート５６も含まれる。
【０２２２】
本実施例の景品管理装置８０では、この端数レシート５６についても、通常のレシートと同様、１枚の端数レシート毎にバーコードリーダ８０４によりバーコード情報を読取り、景品に交換する処理を受付け可能である。
【０２２３】
これに加えて、本実施例の景品管理装置８０では、端数レシート５６に関しては、複数枚の読取りを順次行い、読み取った玉数を合算していき、該合算結果の玉数を用いて景品と交換する処理機能も有する。
【０２２４】
尚、端数レシート５６と、玉計数に基づいて発行された通常の計数レシートを続けて読み取らせ、玉数を合算することも可能である。このように、端数レシート５６を、その他の端数レシート５６や計数レシートと合算することにより、１枚では利用価値が低い玉数でしかない端数レシート５６であっても、まとまった価値となり、有効な景品交換を行なうことができる。
【０２２５】
図２０に示す景品管理装置８０の構成において、制御部８０９内に設けられるレシート合算処理部８０９１が上記合算処理を担う部分である。
【０２２６】
図２１は、景品管理装置８０におけるレシート合算処理動作を示すフローチャートである。
【０２２７】
図２１に示すように、景品管理装置８０では、バーコードリーダ８０４でレシートからバーコード情報を読み取った（ステップＳ２０１）後、該バーコード情報からレシートＩＤを抽出し（ステップＳ２０２）、該レシートＩＤをキーにレシート管理ＤＢ８１１を照合する（ステップＳ２０３）。
【０２２８】
この照合においては、抽出したレシートＩＤに一致するレシートＩＤがレシート管理ＤＢ８１１に登録されているか否かが判定され（ステップＳ２０４）、登録されていない場合は処理を中断してその旨の警報を報知する（ステップＳ２０５）。
【０２２９】
これに対して、レシートＩＤが登録されている場合（ステップＳ２０４ＹＥＳ）には、次に、当該レシートＩＤに対応する号機番号が計数機であるかカード精算機５０Ｃ−２であるかによって当該レシートが端数レシート５６であるか否かをチェックする（ステップＳ２０６）。
【０２３０】
ここで、端数レシート５６でない（通常レシート）場合（ステップＳ２０６ＮＯ）、当該レシートＩＤに対応する発行日時が通常レシートに対して予め設定されている精算期間（例えば、当日）を満足するか否かにより認証ＯＫか否をチェックする（ステップＳ２１１）。
【０２３１】
ここで、上記発行日時から上記設定期間を超えていることにより認証ＮＧと判定された場合（ステップＳ２１１ＮＯ）は、処理を中断して警報を報知する（ステップＳ２０５）。
【０２３２】
また、上記発行日時から上記設定期間内にあることにより認証ＯＫと判定された場合（ステップＳ２１１ＹＥＳ）は、ステップＳ２０１で読み取ったバーコード情報中の玉数を表示／操作部８０１及び客用表示部８０２に表示し（ステップＳ２１２）、以後、景品交換処理（ステップＳ２２１）に進む。
【０２３３】
これに対して、上記ステップＳ２０６において端数レシート５６であると判定された場合（ステップＳ２０６ＹＥＳ）、レシート合算処理部８０９１は、当該レシートＩＤに対応する発行日時が端数レシート５６に対して予め設定されている精算期間（通常レシートと異なる期間：例えば、１ヶ月）を満足するか否かにより認証ＯＫか否かをチェックする（ステップＳ２０７）。
【０２３４】
ここで、上記発行日時から上記設定期間を超えていることにより認証ＮＧと判定された場合（ステップＳ２０７ＮＯ）は、処理を中断して警報を報知する（ステップＳ２０５）。
【０２３５】
また、上記発行日時から上記設定期間内にあることにより認証ＯＫと判定された場合（ステップＳ２０７ＹＥＳ）は、レシート合算処理部８０９１は、上記ステップＳ２０１で読み取ったバーコード情報中の玉数を現在の値（初期値は“０”）に合算する（ステップＳ２０８）。
【０２３６】
引き続き、レシート合算処理部８０９１は、例えば所定の合算指示操作等があるか否かにより次の読取り対象レシートがあるか否かをチェックし（ステップＳ２０９）、次レシートがあれば（ステップＳ２０９ＹＥＳ）、該レシートを読取り、以後、ステップＳ２０１〜２０７の処理を続行する。
【０２３７】
この間、レシート合算処理部８０９１は、所定の合算終了指示等があることにより次レシートがないと判定した場合（ステップＳ２０９ＮＯ）、それまでに上記ステップＳ２０８での合算処理で得られた合算値を表示／操作部８０１及び客用表示部８０２に表示し（ステップＳ２１０）、以後、当該合算値に基づく景品交換処理（ステップＳ２２１）に進む。
【０２３８】
このように、景品管理装置８０は、複数の端数レシート５６を読取り、これら各レシート５６の玉数を合算する処理機能を有するため、遊技客は、上述したカード精算機５０Ｃ−２での端数レシートの発行によって例えば１円や１０円等の硬貨を扱うことなくカード精算が行なえるというメリットが得られるのに加えて、更に、玉数が少ない多数の端数レシートを貯めて合算した玉数を用いて景品と交換できるため、端数レシートを無駄にすることがなくなる。
【０２３９】
なお、景品交換装置８０では、図２１におけるステップＳ２０７とステップＳ２１１での認証処理において、それぞれ、通常レシートの交換期限と端数レシートの交換期限をチェックし、ステップＳ２０７で、通常レシートの交換期限が過ぎていると判断されれば（ステップＳ２０７ＮＯ）、該通常レシートの交換を禁止し、ステップＳ２１１で、端数レシートの交換期限が過ぎていると判断されれば（ステップＳ２１１ＮＯ）、該端数レシートの価値の合算処理を禁止するようにしている。
【０２４０】
ここで、通常レシートの交換期限と端数レシートの交換期限は、例えば、景品管理装置８０内で管理（設定）され、レシート管理ＤＢ８１１内の該当するレシートの発行日時から交換処理日までの期間が上記設定された交換期限と照合され、交換期限を越えているか否かが判定される。
【０２４１】
ここで、通常レシートの交換期限と端数レシートの交換期限は異なり、端数レシートの交換期限（例えば、１週間）が通常レシートの交換期限（例えば、当日）よりも長く設定されている。これにより、通常レシートは例えば当日にしか交換できないが、端数レシートの交換処理は例えば１週間の間だけ交換可能であるというように、複数の端数レシートの価値合算処理機能を利用し易くすることができる。
【０２４２】
なお、上述したカード精算機５０Ｃ−２においては、カード残額に端数がある場合、該端数分（＝９５円）に相当する玉数（＝２３個）を記憶した端数レシート５６を発行するようにしているが、その変形例としては、上記該端数分（＝９５円）に相当する玉数（＝２３個）ではなく、該端数分（＝９５円）の金額情報を記憶した端数レシート（金額レシート：便宜的に、５７と呼称）を発行する機能構成としても良い。
【０２４３】
この場合、当該変形例に係わるカード精算機（便宜的に、５０Ｃ−３と呼称）は、図１４におけるカード精算機５０Ｃ−２の構成中、端数価値変換移動処理部５２７５としてはプリペイドカード５の残額に生じる端数分の金額情報を端数レシート５７に記録するように指示する処理を行う端数レシート発行処理部を設け、変換端数移動部５２２としては、上記端数レシート発行処理部からのレシート発行指示に基づき、端数分の金額情報を記憶したバーコードが印字された端数レシート５７（図１７参照）を発行する端数レシート発行部を設けた構成で実現できる。
【０２４４】
一方で、カード精算機５０Ｃ−３により発行された端数レシート５７を処理するためには、該カード精算機５０Ｃ−３あるいは景品交換装置（便宜的に、８０Ｃと呼称）に、カード残額中の端数分を移動させる別媒体である上記端数レシート５７上のバーコード情報を読み取る別媒体読取手段（バーコードリーダ）と、該バーコードリーダにより読み取った複数枚の端数レシート５７の各バーコード情報に含まれる金額情報を合算処理するレシート合算処理部を設ける。
【０２４５】
そして、この変形例に係わるカード精算システム（カード精算機５０Ｃ−３及び景品管理装置８０Ｃを含む）の運用にあたっては、遊技客が上記端数レシート５７を複数枚まとめて換金処理し易くするために、当該端数レシート５７の交換期限（交換期限）を比較的長く（例えば、１週間程度）設定しておく。
【０２４６】
そのうえで、例えば、景品管理装置８０Ｃは、遊技客が持ち込んだ複数枚の端数レシート５７をバーコードリーダで順次読み取り、該読み取られた各端数レシート５７のバーコード情報中の金額情報を合算（但し、読み取った端数レシート５７の交換期限をチェックし、交換期限内にある場合にのみ該当する金額情報を合算）し、該合算金額での景品交換処理を行う。
【０２４７】
これにより、遊技客は、交換期限内にたまった複数の端数レシート５７を景品交換コーナーに持ち込んで景品交換装置８０Ｃで読取り、該複数枚の端数レシート５７の合算金額分の景品と交換することができる。
【０２４８】
また、カード精算機５０Ｃ−３が上記バーコードリーダとレシート合算処理部を有する場合、該カード精算機５０Ｃ−３は、遊技客が持ち込んだ複数枚の端数レシート５７をバーコードリーダで順次読み取り、該読み取られた各端数レシート５７のバーコード情報中の金額情報を合算し（但し、読み取った端数レシート５７の交換期限をチェックし、交換期限内にある場合にのみ該当する金額情報を合算）、該合算金額分の現金を払い出す精算処理を行う。
【０２４９】
これにより、遊技客は、交換期限内にたまった複数の端数レシート５７をカード精算機５０Ｃ−３に読み込ませて、該複数枚の端数レシート５７の合算金額分の現金と交換（精算）することができる。
【０２５０】
なお、カード精算機５０Ｃ−３での上記精算処理に関しては、合算金額における端数（例えば、１００円未満）は、再度、端数レシート５７を発行するか、強制的に切捨てるといった運用が可能である。
【０２５１】
この他、本発明は、上記し、且つ図面に示す実施例に限定することなく、その要旨を変更しない範囲内で適宜変形して実施できるものである。
【０２５２】
上記各実施例では、カード発行機２０で発行されたプリペイドカード５を、カード処理ユニット４０で使用するようになっているが、カード処理ユニット４０自体にプリペイドカード発行機能を持つ遊技システムに適用することも可能である。この場合、カード処理ユニット４０に予め複数枚のプリペイドカードが装填されており、投入された貨幣の価値がプリペイドカードに価値付けされ、そのまま玉貸しに使用される。該カードに残額が残っている状態で遊技を終了する時には、プリペイドカードを返却（排出）させて、カード精算機において清算処理を行う。尚、このタイプの遊技システムでは、カード処理ユニットがカード発行機の役割を果たす為、専用のカード発行機は必ずしも必要ない。
【０２５３】
また、上記各実施例では、カード精算機５０（５０Ａ，５０Ｂ，５０Ｃ−１，５０Ｃ−２，５０Ｃ−３）によるプリペイドカード５等の残額精算は、千円札と１００円硬貨で行われる例を挙げているが、設定により千円札と５００円硬貨での払い出しも可能である。
【０２５４】
この場合も、“最小金額単位５００円未満の端数の処理を行って精算する”という端数調整条件を設定できることは言うまでもなく、１００円硬貨払出装置を対象とした硬貨補充等のメンテナンス作業が軽減されると共に、遊技客側では１００円以下の硬貨を取り扱う必要もなくなり、小銭の取り扱いを嫌う遊技客に対してのサービス向上を図ることができる。
【０２５５】
また、上記実施例では、プリペイドカード５等の精算時の端数調整条件をＴ／Ｃ１０側で設定するようにしているが、カード精算機５０側で端数調整条件を設定するようにしても良い。
【０２５６】
また、上記実施例では、端数調整処理機能に関して、端数を繰り上げ、繰り下げ、四捨五入するといった方法で残額を調整する第１の端数調整処理機能、端数分を他の媒体に移動させる第２の端数調整処理機能、端数分を現金以外の価値に変換して別媒体に移動させる第３の端数調整処理機能を別々に持つカード精算機の構成例を挙げているが、１つのカード精算機にこれら複数の端数調整処理機能のうちの少なく２つ以上を持たせ、どの機能により端数の調整を行なうかを例えば遊技客が選択して利用する構成とすることも可能である。
【０２５７】
この場合には、第１〜第３の端数調整処理機能のうちの当該カード精算機に備わる少なくとも２つの端数調整処理機能の各々に対応する端数調整処理条件と該端数調整処理条件の選択を促すメッセージを含む端数調整処理条件選択画面を表示する画面表示手段と、該端数調整処理条件選択画面に表示されている端数調整処理条件の選択を受付ける端数調整処理条件受付手段を設け、遊技客が端数調整処理条件選択画面上で選択した端数調整処理条件を用いて、上記少なくとも２つの端数調整処理機能のうちの該当する処理機能により端数調整処理を行う構成としても良い。
【０２５８】
更には、端数調整処理機能の選択を遊技店が行う構成としても良い。具体的には、システム導入時あるいは営業開始時に、管理装置１０において設定する方法が考えられる。
【０２５９】
また、上記実施例では、端数の調整方法を事前に設定しておき、カード精算機５０でのプリペイドカード５等の精算時、設定されている端数調整方法で端数の調整を行なうようにしているが、これに限らず、端数調整方法（繰り上げ、繰り下げ、四捨五入等）の選択画面を表示し、該画面上で遊技客に端数調整方法を選択させ、該選択された端数調整方法で端数の調整を行うようにしても良い。
【０２６０】
また、本発明のカード精算システムにおいては、プリペイドカード５のみならず、例えば、カード発行機２０で価値付けを行なった会員カード６もカード精算機５０での精算対象となるが、この場合において、プリペイドカード５については端数を自動的に切捨てる一方、会員カード６についてはまず繰り上げて精算しておき、この履歴を保持しておいて、後日、同一の会員カード６で精算する場合、以前の繰り上げ分を端数から調整するようにしても良い。
【０２６１】
また、これとは逆に、会員カード６についてはまず繰り下げ精算を行なっておき、後日、同一の会員カード６で精算する場合、以前の繰り上げ分を端数に加算してから精算するようにしても良い。
【０２６２】
また、プリペイドカード５及び会員カード６とも、現金による価値付け以外に、デビットカードによる価値付けを適用できることは言うまでもない。
【０２６３】
また、上記実施例では、事前にプリペイドカード５等のカードを挿入しておいて該挿入中のカードのカードＩＤに対応する残額を減算していく処理方式について述べたが、本発明は、これに限らず、カードの有無にかかわらず現金を投入しておいて、精算や台移動を行なう際に初めてカードを挿入するような仕組みの玉貸機あるいはメダル貸機にも適用可能である。
【０２６４】
また、本発明では、端数調整方法として、「繰り下げ」を設定した場合、切捨て（繰り下げ）られた残額は、募金や寄付金としてシステムに自動的に取り込み、遊技店へのカードシステム使用料の請求に合わせてセンタが回収し、取りまとめて寄付などを行うようにしても良い。
【０２６５】
また、本発明のカード精算システムでは、プリペイドカード５等の精算時、端数をポイントに交換（購入）する処理、電子マネー媒体にチャージする処理、貯玉を行なう処理をサポートしているが、この場合において、残った端数だけでなく、遊技客が希望した分を加算することができる構成としても良い。
【０２６６】
また、上記実施例では、管理装置１０は、会員カード情報とプリペイドカード情報の両方を管理する構成を例示しているが、会員カード情報をシステムを統合的に管理する管理装置で管理する一方、プリペイドカード情報を管理する専用の管理装置（プリペイドカード管理装置）を設けた構成であっても良い。
【産業上の利用可能性】
【０２６７】
本発明は、支払った金額分の有価価値残高を関連付けて発行され、該残高から貸出遊技媒体数に対応する価値が減算されて残額が更新される記録媒体の残高を現金に精算する記録媒体精算システムに適用可能であり、記録媒体の残額精算時、残高に任意の金額未満の端数がある場合には、該端数分を繰り上げまたは繰り下げる、あるいは別の媒体に移動させる等の端数調整処理を施して該端数のない精算額分の現金の払出しを行なうことにより、記録媒体精算装置における上記端数金額の金種の現金払出部の追加が不要になり、コストアップを回避できる。
【図面の簡単な説明】
【０２６８】
【図１】本発明に係わる遊技システムの全体構成を示すブロック図。
【図２】管理装置の機能構成を示すブロック図。
【図３】管理装置が管理するプリペイドカード管理テーブルの構成を示す図。
【図４】管理装置が管理する会員管理テーブルの構成を示す図。
【図５】実施例１に係わるカード精算システムのカード精算機の正面外観構成図。
【図６】実施例１に係わるカード精算システムの機能構成を示すブロック図。
【図７】実施例１に係わるカード精算機の端数調整処理動作を示すフローチャート。
【図８】実施例１に係わるカード精算システムの全体構成とカード処理の流れを示す概念図。
【図９】実施例１に係わるカード精算機における残額／精算額画面の表示例を示す図。
【図１０】第２の実施形態に係わるカード精算機の機能構成を示すブロック図。
【図１１】第２の実施形態のカード精算機の端数調整処理動作を示すフローチャート。
【図１２】実施例２に係わるカード精算システムの全体構成とカード処理の流れを示す概念図。
【図１３】実施例２に係わるカード精算機における残額／精算額画面の表示例を示す図。
【図１４】第３の実施形態に係わるカード精算機の機能構成を示すブロック図。
【図１５】実施例３に係わるカード精算システムの全体構成とカード処理の流れを示す概念図。
【図１６】実施例３に係わるカード精算機における残額／精算額画面の表示例を示す図。
【図１７】実施例４に係わるカード精算システムの全体構成とカード処理の流れを示す概念図。
【図１８】実施例４に係わるカード精算機における残額／精算額画面の表示例を示す図。
【図１９】景品管理装置におけるレシート管理ＤＢと交換景品ＤＢの構成を示す図。
【図２０】景品管理装置の機能構成を示すブロック図。
【図２１】景品管理装置におけるレシート合算処理動作を示すフローチャート。
【符号の説明】
【０２６９】
５…プリペイドカード、６…会員カード、１０…管理装置（ターミナル・コントローラ：Ｔ／Ｃ）、１１…制御部（ＣＰＵ）、１１１…端数調整条件設定処理部、１２…記憶装置、１３…メモリ、１３１…プリペイドカード管理テーブル、１３３…会員管理テーブル、１４…入力装置、１５…表示装置、１６…通信インタフェース（Ｉ／Ｆ）部、２０…カード発行機、４０…カード処理ユニット、４５…遊技機、５０，５０Ａ、５０Ｂ、５０Ｃ，５０Ｃ−１，５０Ｃ−２…カード精算機、５１…本体部、５２…扉体、５１１…プリペイドカード処理装置、５１２…液晶表示部、５１２１，５１２３，５１２５，５１２７…残額／精算額表示画面、５１３…精算ボタン、５１４…取消ボタン、５１５…紙幣処理装置、５１６…硬貨処理装置、５１７…ジャーナルプリンタ、５１８…ハンディ端末機、５１９…電源部、５２０…通信インタフェース（Ｉ／Ｆ）部、５２１…端数伝達部、５２２…変換端数伝達部、５２５…制御部、５２５１…精算制御部、５２５３…残額調整処理部、５２５５…端数移動処理部、５２５７…端数価値変換移動処理部、５３１…プリペイドカード挿入／排出口、５３３…紙幣払出口、５３４…硬貨払出口、５３５…キャリア受入部、５６…端数レシート、６０…島コントローラ、７０…ローカル・エリア・ネットワーク（ＬＡＮ）、８０…景品管理装置、８０１…表示／操作部、８０２…客用表示部、８０３…操作部、８０４…バーコードリーダ、８０５…記憶部、８０６…ジャーナル発行部、８０７…通信インタフェース（Ｉ／Ｆ）部、８０９…制御部、８０９１…レシート合算処理部、８１１…レシート管理データベース（ＤＢ）、８１３…交換景品データベース（ＤＢ）、９０…電子マネーカード、９５…ＩＣ携帯電話端末
【図１】
2006051204.tif 000003
【図２】
2006051204.tif 000004
【図３】
2006051204.tif 000005
【図４】
2006051204.tif 000006
【図５】
2006051204.tif 000007
【図６】
2006051204.tif 000008
【図７】
2006051204.tif 000009
【図８】
2006051204.tif 000010
【図９】
2006051204.tif 000011
【図１０】
2006051204.tif 000012
【図１１】
2006051204.tif 000013
【図１２】
2006051204.tif 000014
【図１３】
2006051204.tif 000015
【図１４】
2006051204.tif 000016
【図１５】
2006051204.tif 000017
【図１６】
2006051204.tif 000018
【図１７】
2006051204.tif 000019
【図１８】
2006051204.tif 000020
【図１９】
2006051204.tif 000021
【図２０】
2006051204.tif 000022
【図２１】
2006051204.tif 000023